(57)【要約】      （修正有）【課題】芯から外れた打撃でも飛距離がさほど変化しないゴルフクラブヘッドを提供する。【解決手段】ゴルフクラブヘッド８００は、後方部分８１２、打撃フェース８１８、並びに、これらの間に形成される内部キャビティを有するクラブヘッド本体であって、後方部分は打撃フェースの背面表面８１９と離間されるクラブヘッド本体と、後方部分と打撃フェースの背面表面との間に位置する変形可能要素であって、打撃フェースの背面表面と接触する前面表面を有し、開口が後方部分に形成される、変形可能要素と、開口内に位置付けられる調整ドライバ８３０であって、内部キャビティに隣接するリセスを有する調整ドライバとを有し、変形可能要素はリセス内に位置付けられ、後方部分は、開口を囲む棚８９５を有し、調整ドライバはフランジ８３５を有し、フランジが棚に接触する。【選択図】図１５Ｄ
0003226453.tif 000002
【実用新案登録請求の範囲】
【請求項１】
ゴルフクラブヘッドにおいて、
後方部分および打撃フェースを有するクラブヘッド本体であって、上記打撃フェースはゴルフボールを打撃するように構成された前面表面と、上記前面表面と反対側の背面表面とを有し、上記後方部分は上記背面表面から離間される、上記クラブヘッド本体と、
上記後方部分と上記打撃フェースの上記背面表面との間に位置する変形可能要素であって、上記打撃フェースの上記背面表面と接触する前面表面と、上記後方部分と接触する背面表面とを有する上記変形可能要素と、
上記ゴルフクラブヘッドの重心を中心にする座標系とを有し、
上記座標系は、上記ゴルフクラブヘッドを予め定められたロフトおよびライでアドレス位置に配置したときに、地面平面に対して直角に垂直に延びるｙ−軸と、上記ｙ−軸に直角に、かつ上記打撃フェースに平行して上記ゴルフクラブヘッドのヒールの方向に延びるｘ−軸と、上記ｙ−軸および上記ｘ−軸に直角に、かつ上記打撃フェースを通じて伸びるｚ−軸とを有し、
上記打撃フェースの上記背面表面は被支持領域を有し、
上記変形可能要素の上記前面表面の周囲が上記被支持領域を形成し、上記被支持領域は幾何学的中心を有し、上記打撃フェースは複数のスコアラインを有し、上記打撃フェースは上記ｙ−軸および上記ｚ−軸に平行に延びるヒール標準平面を有し、上記ヒール標準平面は、上記スコアラインの最もヒール側の境界から上記ヒール方向に１ｍｍずれており、上記被支持領域の上記幾何学的中心は、上記ｘ−軸に平行に測定して、上記ヒール標準平面から被支持領域オフセット長だけトウ側に位置決めされ、上記打撃フェースは、上記ｘ−軸に平行に、上記ヒール標準平面から上記打撃フェースの上記前面表面の最もトウ側の部分まで測定された打撃フェース長を有し、上記ゴルフクラブヘッドは、上記被支持領域オフセット長を上記打撃フェース長で除して１００％をかけた被支持領域オフセット比を有し、上記被支持領域オフセット比は４０％以上であることを特徴とするゴルフクラブヘッド。
【請求項２】
上記被支持領域オフセット比は５０％以上である請求項１記載のゴルフクラブヘッド。
【請求項３】
上記ゴルフクラブヘッドの上記重心は、上記ｙ−軸に平行に測定されて、上記地面平面より２０ｍｍ以下の長さだけ上に位置付けられ、上記ゴルフクラブヘッドは２５０ｋｇ−ｍｍ２以上のＭＯＩ−Ｙを有する請求項１記載のゴルフクラブヘッド。
【請求項４】
上記打撃フェースの少なくとも一部は２．２ｍｍ以下の厚さを有する請求項１記載のゴルフクラブヘッド。
【請求項５】
上記変形可能要素の上記前面表面は前面直径を具備する円であり、上記変形可能要素の上記背面表面は背面直径を具備する円であり、上記前面直径は上記背面直径より小さい請求項１記載のゴルフクラブヘッド。
【請求項６】
上記ゴルフクラブヘッドは、上記後方部分および上記打撃フェースの間に内部キャビティを有し、開口が上記後方部分を通じて形成され、調整ドライバが上記開口内に位置付けられ、上記調整ドライバは上記内部キャビティに隣接するリセスを有し、上記変形可能要素の少なくとも一部が上記リセス内に位置付けられる請求項１記載のゴルフクラブヘッド。
【請求項７】
上記後方部分は、上記開口を囲む棚を有し、上記調整ドライバはフランジを有し、上記フランジが上記棚に接触する請求項６記載のゴルフクラブヘッド。
【請求項８】
ゴルフクラブヘッドにおいて、
後方部分、打撃フェース、並びに、上記後方部分および上記打撃フェースの間に形成される内部キャビティを有するクラブヘッド本体であって、上記打撃フェースはゴルフボールを打撃するように構成された前面表面および上記前面表面と反対側の背面表面を有し、上記後方部分は上記背面表面と離間される上記クラブヘッド本体と、
上記後方部分と上記打撃フェースの上記背面表面との間に位置する変形可能要素であって、上記打撃フェースの上記背面表面と接触する前面表面を有し、開口が上記後方部分に形成される、上記変形可能要素と、
上記開口内に位置付けられる調整ドライバであって、上記内部キャビティに隣接するリセスを有する上記調整ドライバとを有し、
上記変形可能要素は上記リセス内に位置付けられ、
上記後方部分は、上記開口を囲む棚を有し、
上記調整ドライバはフランジを有し、上記フランジが上記棚に接触することを特徴とするゴルフクラブヘッド。
【請求項９】
さらに上記ゴルフクラブヘッドの重心を中心にする座標系を有し、上記座標系は、上記ゴルフクラブヘッドを予め定められたロフトおよびライでアドレス位置に配置したときに、地面平面に対して直角に垂直に延びるｙ−軸と、上記ｙ−軸に直角に、かつ上記打撃フェースに平行して上記ゴルフクラブヘッドのヒールの方向に延びるｘ−軸と、上記ｙ−軸および上記ｘ−軸に直角に、かつ上記打撃フェースを通じて伸びるｚ−軸とを有し、上記打撃フェースの上記背面表面は被支持領域を有し、上記変形可能要素の上記前面表面の周囲が上記被支持領域を形成し、上記被支持領域は幾何学的中心を有し、上記打撃フェースは複数のスコアラインを有し、上記打撃フェースは上記ｙ−軸および上記ｚ−軸に平行に延びるヒール標準平面を有し、上記ヒール標準平面は、上記スコアラインの最もヒール側の境界から上記ヒール方向に１ｍｍずれており、上記被支持領域の上記幾何学的中心は、上記ｘ−軸に平行に測定して、上記ヒール標準平面から被支持領域オフセット長だけトウ側に位置決めされ、上記打撃フェースは、上記ｘ−軸に平行に、上記ヒール標準平面から上記打撃フェースの上記前面表面の最もトウ側の部分まで測定された打撃フェース長を有し、上記ゴルフクラブヘッドは、上記被支持領域オフセット長を上記打撃フェース長で除して１００％をかけた被支持領域オフセット比を有し、上記被支持領域オフセット比は４０％以上である請求項８記載のゴルフクラブヘッド。
【請求項１０】
上記被支持領域オフセット比は５０％以上である請求項９記載のゴルフクラブヘッド。
【請求項１１】
上記ゴルフクラブヘッドの上記重心は、上記ｙ−軸に平行に測定されて、上記地面平面より２０ｍｍ以下の長さだけ上に位置付けられ、上記ゴルフクラブヘッドは２５０ｋｇ−ｍｍ２以上のＭＯＩ−Ｙを有する請求項８記載のゴルフクラブヘッド。
【請求項１２】
上記打撃フェースの少なくとも一部は２．２ｍｍ以下の厚さを有する請求項８記載のゴルフクラブヘッド。
【請求項１３】
上記変形可能要素の上記前面表面は前面直径を具備する円であり、上記変形可能要素の上記背面表面は背面直径を具備する円であり、上記前面直径は上記背面直径より小さい請求項８記載のゴルフクラブヘッド。
【請求項１４】
ゴルフクラブヘッドにおいて、
後方部分、打撃フェース、並びに、上記後方部分および上記打撃フェースの間に形成される内部キャビティを有するクラブヘッド本体であって、上記打撃フェースはゴルフボールを打撃するように構成された前面表面および上記前面表面と反対側の背面表面を有し、上記後方部分は上記背面表面と離間される上記クラブヘッド本体と、
上記後方部分と上記打撃フェースの上記背面表面との間に位置する変形可能要素であって、上記打撃フェースの上記背面表面と接触する前面表面を有し、開口が上記後方部分に形成される、上記変形可能要素と、
上記開口内に位置付けられる調整ドライバとを有し、
上記変形可能要素は上記調整ドライバと接触する背面表面を有し、
上記開口は、ネジ切り部分を有し、上記調整ドライバは、ネジ切り部分を有し、上記調整ドライバの上記ネジ切り部分は上記開口の上記ネジ切り部分と係合し、
上記変形可能要素の上記前面表面は前面直径を具備する円であり、上記変形可能要素の上記背面表面は背面直径を具備する円であり、上記前面直径は上記背面直径より小さく、
上記変形可能要素は上記前面表面および上記背面表面の間にテーパー付け部分を有することを特徴とするゴルフクラブヘッド。
【請求項１５】
上記打撃フェースの少なくとも一部は２．２ｍｍ以下の厚さを有する請求項１記載のゴルフクラブヘッド。
【請求項１６】
上記変形可能要素は、さらに、上記ゴルフクラブヘッドの上記後方部分に隣接して位置付けられる一定直径部分を有する請求項１４記載のゴルフクラブヘッド。
【請求項１７】
上記変形可能要素は弾性係数が１から５０ＧＰａを生じるエラストマーを有する請求項１４記載のゴルフクラブヘッド。
【請求項１８】
上記後方部分は、上記開口を囲む棚を有し、上記調整ドライバはフランジを有し、上記フランジが上記棚に接触する請求項１４記載のゴルフクラブヘッド。
【請求項１９】
上記調整ドライバは上記内部キャビティに隣接するリセスを有し、上記変形可能要素の少なくとも一部が上記リセス内に位置付けられる請求項１４記載のゴルフクラブヘッド。
【請求項２０】
上記打撃フェースは打撃フェース面積を有し、上記打撃フェースは、上記変形可能要素によって支持されない当該打撃フェース面積のパーセンテージを有する非支持フェースパーセンテージを有し、上記非支持フェースパーセンテージは９０％より大きく９９％より小さく、上記変形可能要素は打撃フェース周囲から離間されている請求項１４記載のゴルフクラブヘッド。
【考案の詳細な説明】
【技術分野】
【０００１】
この考案は、ボール速度制御用エラストマー要素を具備するゴルフクラブヘッドに関する。
【背景技術】
【０００２】
ゴルファーにとって、ゴルフのラウンドを完了するのに必要とされるスイングの総数を減らし、それによってその総合スコアを減らすことが目標である。その目的を達成するために、ゴルファーが、同じゴルフクラブにより打たれたときのボールが同様の距離だけ飛ぶようにすること、そして、いくつかのクラブに関しては、そのボールが長距離飛ぶようにすることが一般に望ましい。例えば、ゴルファーがゴルフボールをわずかにミスヒットしたとき、ゴルファーはゴルフボールが著しく異なる距離を飛ぶことを望まない。同時に、ゴルファーは、ゴルフクラブの「スイートスポット」でボールを打つときでも、ボールを打つたびに、常に大幅に減少した全体距離となることを望まない。
【先行技術文献】
【特許文献】
【０００３】
【特許文献１】特開２０１８−０１５５６５号公報
【考案の概要】
【０００４】
この技術の１つの非制限的な実施例は、ゴルフクラブヘッドを含み、このゴルフクラブヘッドは、後方部分および打撃フェースを有するクラブヘッド本体であって、上記打撃フェースはゴルフボールを打撃するように構成された前面表面と、上記前面表面と反対側の背面表面とを有し、上記後方部分は上記背面表面から離間される、上記クラブヘッド本体と；上記後方部分と上記打撃フェースの上記背面表面との間に位置する変形可能要素であって、上記打撃フェースの上記背面表面と接触する前面表面と、上記後方部分と接触する背面表面とを有する上記変形可能要素と；上記ゴルフクラブヘッドの重心を中心にする座標系とを有し；上記座標系は、上記ゴルフクラブヘッドを予め定められたロフトおよびライでアドレス位置に配置したときに、地面平面に対して直角に垂直に延びるｙ−軸と、上記ｙ−軸に直角に、かつ上記打撃フェースに平行して上記ゴルフクラブヘッドのヒールの方向に延びるｘ−軸と、上記ｙ−軸および上記ｘ−軸に直角に、かつ上記打撃フェースを通じて伸びるｚ−軸とを有し、上記打撃フェースの上記背面表面は被支持領域を有し、上記変形可能要素の上記前面表面の周囲が上記被支持領域を形成し、上記被支持領域は幾何学的中心を有し、上記打撃フェースは複数のスコアラインを有し、上記打撃フェースは上記ｙ−軸および上記ｚ−軸に平行に延びるヒール標準平面を有し、上記ヒール標準平面は、上記スコアラインの最もヒール側の境界から上記ヒール方向に１ｍｍずれており、上記被支持領域の上記幾何学的中心は、上記ｘ−軸に平行に測定して、上記ヒール標準平面から被支持領域オフセット長だけトウ側に位置決めされ、上記打撃フェースは、上記ｘ−軸に平行に、上記ヒール標準平面から上記打撃フェースの上記前面表面の最もトウ側の部分まで測定された打撃フェース長を有し、上記ゴルフクラブヘッドは、上記被支持領域オフセット長を上記打撃フェース長で除して１００％をかけた被支持領域オフセット比を有し、上記被支持領域オフセット比は４０％以上である。
【０００５】
この技術の付加的な非制限的な実施例において、上記被支持領域オフセット比は５０％以上である。
【０００６】
この技術の付加的な非制限的な実施例において、上記ゴルフクラブヘッドの上記重心は、上記ｙ−軸に平行に測定されて、上記地面平面より２０ｍｍ以下の長さだけ上に位置付けられ、上記ゴルフクラブヘッドは２５０ｋｇ−ｍｍ２以上のＭＯＩ−Ｙを有する。
【０００７】
この技術の付加的な非制限的な実施例において、上記打撃フェースの少なくとも一部は２．２ｍｍ以下の厚さを有する。
【０００８】
この技術の付加的な非制限的な実施例において、上記変形可能要素の上記前面表面は前面直径を具備する円であり、上記変形可能要素の上記背面表面は背面直径を具備する円であり、上記前面直径は上記背面直径より小さい。
【０００９】
この技術の付加的な非制限的な実施例において、上記ゴルフクラブヘッドは、上記後方部分および上記打撃フェースの間に内部キャビティを有し、開口が上記後方部分を通じて形成され、調整ドライバが上記開口内に位置付けられ、上記調整ドライバは上記内部キャビティに隣接するリセスを有し、上記変形可能要素の少なくとも一部が上記リセス内に位置付けられる。
【００１０】
この技術の付加的な非制限的な実施例において、上記後方部分は、上記開口を囲む棚を有し、上記調整ドライバはフランジを有し、上記フランジが上記棚に接触する。
【００１１】
この技術の１つの非制限的な実施例は、ゴルフクラブヘッドを含み、このゴルフクラブヘッドは、後方部分、打撃フェース、並びに、上記後方部分および上記打撃フェースの間に形成される内部キャビティを有するクラブヘッド本体であって、上記打撃フェースはゴルフボールを打撃するように構成された前面表面および上記前面表面と反対側の背面表面を有し、上記後方部分は上記背面表面と離間される上記クラブヘッド本体と；上記後方部分と上記打撃フェースの上記背面表面との間に位置する変形可能要素であって、上記打撃フェースの上記背面表面と接触する前面表面を有し、開口が上記後方部分に形成される、上記変形可能要素と；上記開口内に位置付けられる調整ドライバであって、上記内部キャビティに隣接するリセスを有する上記調整ドライバとを有し；上記変形可能要素は上記リセス内に位置付けられ、上記後方部分は、上記開口を囲む棚を有し、上記調整ドライバはフランジを有し、上記フランジが上記棚に接触する。
【００１２】
この技術の付加的な非制限的な実施例において、当該ゴルフクラブヘッドは上記ゴルフクラブヘッドの重心を中心にする座標系を有し、上記座標系は、上記ゴルフクラブヘッドを予め定められたロフトおよびライでアドレス位置に配置したときに、地面平面に対して直角に垂直に延びるｙ−軸と、上記ｙ−軸に直角に、かつ上記打撃フェースに平行して上記ゴルフクラブヘッドのヒールの方向に延びるｘ−軸と、上記ｙ−軸および上記ｘ−軸に直角に、かつ上記打撃フェースを通じて伸びるｚ−軸とを有し、上記打撃フェースの上記背面表面は被支持領域を有し、上記変形可能要素の上記前面表面の周囲が上記被支持領域を形成し、上記被支持領域は幾何学的中心を有し、上記打撃フェースは複数のスコアラインを有し、上記打撃フェースは上記ｙ−軸および上記ｚ−軸に平行に延びるヒール標準平面を有し、上記ヒール標準平面は、上記スコアラインの最もヒール側の境界から上記ヒール方向に１ｍｍずれており、上記被支持領域の上記幾何学的中心は、上記ｘ−軸に平行に測定して、上記ヒール標準平面から被支持領域オフセット長だけトウ側に位置決めされ、上記打撃フェースは、上記ｘ−軸に平行に、上記ヒール標準平面から上記打撃フェースの上記前面表面の最もトウ側の部分まで測定された打撃フェース長を有し、上記ゴルフクラブヘッドは、上記被支持領域オフセット長を上記打撃フェース長で除して１００％をかけた被支持領域オフセット比を有し、上記被支持領域オフセット比は４０％以上である。
【００１３】
この技術の付加的な非制限的な実施例において、上記被支持領域オフセット比は５０％以上である。
【００１４】
この技術の付加的な非制限的な実施例において、上記ゴルフクラブヘッドの上記重心は、上記ｙ−軸に平行に測定されて、上記地面平面より２０ｍｍ以下の長さだけ上に位置付けられ、上記ゴルフクラブヘッドは２５０ｋｇ−ｍｍ２以上のＭＯＩ−Ｙを有する。
【００１５】
この技術の付加的な非制限的な実施例において、上記打撃フェースの少なくとも一部は２．２ｍｍ以下の厚さを有する。
【００１６】
この技術の付加的な非制限的な実施例において、上記変形可能要素の上記前面表面は前面直径を具備する円であり、上記変形可能要素の上記背面表面は背面直径を具備する円であり、上記前面直径は上記背面直径より小さい。
【００１７】
この技術の１つの非制限的な実施例は、ゴルフクラブヘッドを含み、このゴルフクラブヘッドは、後方部分、打撃フェース、並びに、上記後方部分および上記打撃フェースの間に形成される内部キャビティを有するクラブヘッド本体であって、上記打撃フェースはゴルフボールを打撃するように構成された前面表面および上記前面表面と反対側の背面表面を有し、上記後方部分は上記背面表面と離間される上記クラブヘッド本体と；上記後方部分と上記打撃フェースの上記背面表面との間に位置する変形可能要素であって、上記打撃フェースの上記背面表面と接触する前面表面を有し、開口が上記後方部分に形成される、上記変形可能要素と；上記開口内に位置付けられる調整ドライバとを有し；上記変形可能要素は上記調整ドライバと接触する背面表面を有し、上記開口は、ネジ切り部分を有し、上記調整ドライバは、ネジ切り部分を有し、上記調整ドライバの上記ネジ切り部分は上記開口の上記ネジ切り部分と係合し、上記変形可能要素の上記前面表面は前面直径を具備する円であり、上記変形可能要素の上記背面表面は背面直径を具備する円であり、上記前面直径は上記背面直径より小さく、上記変形可能要素は上記前面表面および上記背面表面の間にテーパー付け部分を有する。
【００１８】
この技術の付加的な非制限的な実施例において、上記打撃フェースの少なくとも一部は２．２ｍｍ以下の厚さを有する。
【００１９】
この技術の付加的な非制限的な実施例において、上記変形可能要素は、さらに、上記ゴルフクラブヘッドの上記後方部分に隣接して位置付けられる一定直径部分を有する。
【００２０】
この技術の付加的な非制限的な実施例において、上記変形可能要素は弾性係数が１から５０ＧＰａを生じるエラストマーを有する。
【００２１】
この技術の付加的な非制限的な実施例において、上記後方部分は、上記開口を囲む棚を有し、上記調整ドライバはフランジを有し、上記フランジが上記棚に接触する。
【００２２】
この技術の付加的な非制限的な実施例において、上記調整ドライバは上記内部キャビティに隣接するリセスを有し、上記変形可能要素の少なくとも一部が上記リセス内に位置付けられる。
【００２３】
この技術の付加的な非制限的な実施例において、上記打撃フェースは打撃フェース面積を有し、上記打撃フェースは、上記変形可能要素によって支持されない当該打撃フェース面積のパーセンテージを有する非支持フェースパーセンテージを有し、上記非支持フェースパーセンテージは９０％より大きく９９％より小さく、上記変形可能要素は打撃フェース周囲から離間されている。
【００２４】
ここで説明した概要は、簡略化された形態で考案の考え方を選択して導入するために提供され、これは以下の詳細な説明でさらに記述される。当該概要は、以下の実用新案登録請求の範囲で記述される対象の主要、または基本的な特徴を特定するものとして意図されておらず、当該対象の範囲を限定するものとして意図されてもいない。
【図面の簡単な説明】
【００２５】
非限定的かつ非網羅的な例は、以下の図を参照して説明される。
【００２６】
【図１Ａ】エラストマー要素を有するゴルフクラブヘッドの断面図を示す。
【図１Ｂ】エラストマー要素を有するゴルフクラブヘッドの断面図を示す。
【図１Ｃ】図１Ａ〜図１Ｂに示すゴルフクラブヘッドの斜視断面図を示す。
【図２Ａ】エラストマー要素と、厚い中央部分を有する打撃フェースとを有するゴルフクラブヘッドの断面図を示す。
【図２Ｂ】エラストマー要素と、厚い中央部分を有する打撃フェースとを有するゴルフクラブヘッドの断面図を示す。
【図３Ａ】エラストマー要素と、このエラストマー要素の圧縮を調整するための調整機構とを有するゴルフクラブヘッドの断面図を示す。
【図３Ｂ】エラストマー要素と、このエラストマー要素の圧縮を調整するための調整機構とを有するゴルフクラブヘッドの断面図を示す。
【図４Ａ】エラストマー要素と、このエラストマー要素の圧縮を調整するための調整機構とを有するゴルフクラブヘッドの別の例の斜視図を示す。
【図４Ｂ】図４Ａのゴルフクラブヘッドの断面図を示す。
【図４Ｃ】エラストマー要素と、このエラストマー要素の圧縮を調整するための調整機構とを有するゴルフクラブの別の例の断面図を示す。
【図５Ａ】エラストマー要素を含まないゴルフクラブヘッドの応力等高線図を示す。
【図５Ｂ】エラストマー要素を有するゴルフクラブヘッドの応力等高線図を示す。
【図６Ａ】ゴルフクラブヘッドの正面図を示す。
【図６Ｂ】図６Ａのゴルフクラブヘッドのトウ側の側面図を示す。
【図６Ｃ】図６ＡのゴルフクラブヘッドのＡ−Ａ断面図を示す。
【図６Ｄ】打撃フェースと直角な方向に向けられた図６Ａのゴルフクラブヘッドの斜視図を示す。
【図６Ｅ】支持領域を含む、打撃フェースと直角な方向に向けられた図６Ａのゴルフクラブヘッドの斜視図を示す。
【図７Ａ】ゴルフクラブヘッドの斜視図を示す。
【図７Ｂ】図７Ａのゴルフクラブヘッドの追加の斜視図を示す。
【図７Ｃ】図７Ａのゴルフクラブヘッドの背面図を示す。
【図８Ａ】図７ＣのゴルフクラブヘッドのＢ−Ｂ断面図を示す。
【図８Ｂ】図７ＣのゴルフクラブヘッドのＣ−Ｃ断面図を示す。
【図８Ｃ】図７ＣのゴルフクラブヘッドのＤ−Ｄ断面図を示す。
【図９Ａ】図７Ａのゴルフクラブヘッドの、打撃フェースを除いた前面の追加の断面図を示す。
【図９Ｂ】図９Ｂは、変形可能部材が取り除かれた状態の図９Ａの断面図を示す。
【図１０】支持領域を含む打撃フェースに対して垂直に向けられた、図７Ａのゴルフクラブヘッドの斜視図を示す。
【図１１Ａ】エラストマー要素の付加的な実施例を含む図７Ｃのゴルフクラブヘッドの断面図を示す。
【図１１Ｂ】エラストマー要素の付加的な実施例を含む図７Ｃのゴルフクラブヘッドの断面図を示す。
【図１１Ｃ】エラストマー要素の付加的な実施例を含む図７Ｃのゴルフクラブヘッドの断面図を示す。
【図１１Ｄ】エラストマー要素の付加的な実施例を含む図７Ｃのゴルフクラブヘッドの断面図を示す。
【図１２Ａ】図１１Ａに示されるゴルフクラブヘッドのピリオドグラム・パワースペクトル密度推定を示す。
【図１２Ｂ】図１１Ａに示されるゴルフクラブヘッドの音響出力推定を示す。
【図１３Ａ】図１１Ｄに示されるゴルフクラブヘッドのピリオドグラム・パワースペクトル密度推定を示す。
【図１３Ｂ】図１１Ｄに示されるゴルフクラブヘッドの音響出力推定を示す。
【図１４Ａ】後方部が前方部より大きいエラストマー要素の断面図を示す。
【図１４Ｂ】後方部が前方部より大きいエラストマー要素の断面図を示す。
【図１４Ｃ】後方部が前方部より大きいエラストマー要素の断面図を示す。
【図１４Ｄ】図１４Ａのエラストマー要素と類似するけれども第1の材料および第2の材料を含むエラストマー要素の断面図を示す。
【図１４Ｅ】図１４Ｂのエラストマー要素と類似するけれども第1の材料および第2の材料を含むエラストマー要素の断面図を示す。
【図１４Ｆ】図１４Ｃのエラストマー要素と類似するけれども第1の材料および第2の材料を含むエラストマー要素の断面図を示す。
【図１４Ｇ】図１４Ａのエラストマー要素と類似するけれども前方部の中心が後方部の中心とずれているエラストマー要素の断面図を示す。
【図１４Ｈ】図１４Ｂのエラストマー要素と類似するけれども前方部の中心が後方部の中心とずれているエラストマー要素の断面図を示す。
【図１４Ｉ】図１４Ｃのエラストマー要素と類似するけれども前方部の中心が後方部の中心とずれているエラストマー要素の断面図を示す。
【図１４Ｊ】前方部と後方部との間で首がつぼめられたエラストマー要素の断面図を示す。
【図１４Ｋ】前方部と後方部との間で首がつぼめられたエラストマー要素の断面図を示す。
【図１４Ｌ】図１４Ｊのエラストマー要素と類似するけれども第1の材料および第2の材料を含むエラストマー要素の断面図を示す。
【図１５Ａ】ゴルフクラブヘッドの背面図を示す。
【図１５Ｂ】図１５Ａのゴルフクラブヘッドの斜視図を示す。
【図１５Ｃ】図１５Ａのゴルフクラブヘッドの他の斜視図を示す。
【図１５Ｄ】図１５ＡのゴルフクラブヘッドのＥ−Ｅ断面図を示す。
【図１６】図１５ＡのゴルフクラブヘッドのＥ−Ｅ断面図を、調整ドライバおよびエラストマー要素を実装せずに示す。
【図１７Ａ】図１５Ａのゴルフクラブヘッドの調整ドライバおよびエラストマー要素の斜視図を示す。
【図１７Ｂ】図１５Ａのゴルフクラブヘッドの調整ドライバおよびエラストマー要素の他の斜視図を示す。
【図１７Ｃ】図１５Ａのゴルフクラブヘッドの調整ドライバおよびエラストマー要素の側面図を示す。
【図１７Ｄ】図１５Ａのゴルフクラブヘッドの調整ドライバおよびエラストマー要素の断面図を示す。
【図１７Ｅ】図１５Ａのゴルフクラブヘッドの調整ドライバおよびエラストマー要素の他の斜視図を示す。
【考案を実施するための形態】
【００２７】
ここで説明される技術は、ゴルフクラブの打撃フェースにわたってより均一なボールスピードを促進するためにエラストマー要素を組み込んだアイアンタイプゴルフクラブヘッドを企図している。伝統的な薄肉アイアンタイプゴルフクラブは、一般に、打撃フェースの幾何学的中心でのコンプライアンスの増加のために打撃フェースにわたり均一でない打ち出し速度を生み出す。例えば、ゴルフクラブがゴルフボールを打つとき、クラブの打撃フェースは撓み、次いで前方に飛び出し、ゴルフボールを打撃フェースから加速する。このような設計は、フェースの中心で打たれたときにゴルフボールの飛距離を大きくする可能性があるけれども、ゴルフボールの芯から外れた打撃はゴルフボールの飛距離に著しい損失をもたらす。比較すると、非常に厚いフェースは打撃位置に関係なくより均一なボールの飛翔を引き起こすけれども、打ち上げ速度の著しい損失を引き起こす。本技術は、中空アイアンの後方部と打撃フェースの背面表面との間にエラストマー要素を組み込んでいる。エラストマー要素を含むことによって、フェースの中心での打撃に対して打ち出し速度の大きさを低減することになるだろうけれども、打撃フェース全体にわたる打ち出し速度の均一性を向上させる。いくつかの例では、後方部と打撃フェースとの間のエラストマー要素の圧縮は、また、調整可能であって良く、もって、ゴルファーまたはゴルフクラブのフィッティング専門家が、ゴルフボールを打つときの打撃フェースの撓みを調整可能にする。
【００２８】
図１Ａ〜図１Ｂは、エラストマー要素１０２を具備するゴルフクラブヘッド１００の断面図を示す。図１Ｃはゴルフクラブヘッド１００の斜視断面図を示す。図１Ａ〜１Ｃを同時に説明する。ゴルフクラブヘッド１００は打撃フェース１１８と後方部１１２とを含む。打撃フェース１１８と後方部１１２との間にキャビティ１２０が形成される。打撃フェース１１８と後方部１１２との間においてキャビティ１２０内にエラストマー要素１０２が配置される。エラストマー要素１０２の背面部は、クレードル１０８によって所定の位置に保持される。クレードル１０８はゴルフクラブヘッド１００の後方部１１２に取り付けられ、このクレードル１０８はエラストマー要素１０２の背面部を収容するためにリセス１０９を含む。クレードル１０８のリップは、エラストマー要素１０２が滑ったり、または、その他の態様で、位置ずれするのを防止する。エラストマー要素１０２は、図１Ａ〜図１Ｂに示すように、概ね円錐台形の形状を有して良い。他の例では、エラストマー要素１０２は、円筒形、球形、直方体形、またはプリズム形を有して良い。クレードル１０８のリセス１０９は、エラストマー要素１０２の背面部の形状と実質的に一致するように形成されている。エラストマー要素１０２の背面部は、クレードル１０８のリセス１０９の内壁と接触している。クレードル１０８は、後方部１１２に溶接または他の方法で取り付けて良く、あるいは、クレードル１０８は、後方部１１２の一部として鋳造または鍛造プロセスの間に形成して良い。後方部１１２は、また、クレードル１０８を含むように機械加工されてもよい。
【００２９】
エラストマー要素１０２の前方部１０３は打撃フェース１１８の背面表面１１９と接触する。エラストマー要素１０２の前方部１０３は固定機構によって打撃フェース１１８の背面表面１１９上の適所に保持されてよい。フランジ１１０は、打撃フェース１１８の背面表面１１９からキャビティ１２０内に突出する。フランジ１１０は、エラストマー要素１０２の前方部１０３を収容して、エラストマー要素１０２が打撃フェース１１８の背面表面１１９に沿って滑るのを実質的に防止する。フランジ１１０は、エラストマー要素１０２の前方部１０３を部分的にまたは完全に取り囲んで良い。クレードル１０８と同様に、フランジ１１０は、エラストマー要素１０２の前方部１０３の形状と合致し、もって、エラストマー要素１０２の前方部１０３の表面がフランジ１１０の内面と接触する。フランジ１１０は打撃フェース１１８の背面表面１１９に溶接され、または他の態様で取り付けられて良い。フランジ１１０は、また、打撃フェース１１８の形成中に、鋳造または鍛造されて良い。例えば、打撃フェース１１８がフェースインサートである場合、フランジ１１０は、フェースインサートを鋳造または鋳造する間に、フランジ１１０をこれに組み込んで良い。他の例では、フランジ１１０および打撃フェース１１８はより厚いフェースプレートから機械加工されて良い。フランジ１１０以外の代替的な固定構造も使用されて良い。例えば、２つ以上の支柱が、エラストマー要素１０２の前方部１０３の周囲の周りで打撃フェース１１８の背面表面１１９条に含まれて良い。他の例として、接着剤を使用してエラストマー要素１０２を打撃フェース１１８の背面表面１１９に固着して良い。他の実施例において、固定構造は利用されず、クレードル１０８と打撃フェース１１８の背面表面１１９との間の圧縮によりエラストマー要素１０２を全体的にその場所に保持される。
【００３０】
図１Ａ〜図１Ｃに示される例において、エラストマー要素１０２は打撃フェース１１８のほぼ幾何学的中心の後ろに配置されている。伝統的なフェースが薄いゴルフクラブでは、打撃フェース１１８の幾何学的中心での打撃が打撃フェース１１８の最大変位をもたらし、このため最も大きなボール速度を実現する。打撃フェース１１８の幾何学的中心にエラストマー要素１０２を配置することによって、その点での打撃フェース１１８のたわみが減少し、この結果、ボール速度が減少する。しかしながら、打撃フェース１１８の、エラストマー要素１０２によって裏打ちされていない部分は、キャビティ１２０内に撓み続け、ゴルフボールの速度に大きくする。このように、ヒールからトウに至る打撃フェース１１８全体にわたるボール打撃から生じるボール速度のより均一な分布が達成され得る。他の例では、エラストマー要素１０２は、ゴルフクラブヘッド１００内の他の場所に配置されて良い。
【００３１】
エラストマー要素１０２の弾性も打撃フェース１１８の撓みに影響を与える。例えば、より低い弾性率を有する材料は打撃フェース１１８のさらなる撓みを可能にし、より大きな最大ボール速度を実現するけれども、均一性がより低くなる。これと対照的に、より高い弾性率を有する材料は、打撃フェース１１８の撓みをさらに防止し、より低い最大ボール速度しか実現しないけれども、より均一なボール速度を提供する。表２〜３を参照して、様々な種類の材料を以下にさらに詳細に検討する。
【００３２】
ゴルフクラブヘッド１００は、また、前面ソール部１１４と背面ソール部１１６との間にソールチャネル１０４を具備するソール１０５を含む。ソールチャネル１０４は、ゴルフクラブヘッド１００のソール１０５に沿ってヒールに近い点からトウに近い点へと延びる。中空チャネルとして描かれているけれども、ソールチャネル１０４は、破片がキャビティ１２０に入るのを防ぐために、プラスチック、ゴム、ポリマー、または他の材料で充填またはスパンされていて良い。ソールチャネル１０４は打撃フェース１１８の下側部分のさらなる撓みを可能にする。打撃フェース１１８の下側部分がさらに撓むようにすることによって、打撃フェース１１８の下側部分でのボール打撃から、例えば、芝からのボール打撃から、高いボール速度を実現する。したがって、エラストマー要素１０２およびソールチャネル１０４は、互いに組み合わされて、打撃フェース１１８全体にわたり均一なボール速度を実現するとともに、芝打ち用にゴルフボールの飛距離を増大させる。
【００３３】
図２Ａ〜２Ｂは、エラストマー要素２０２と、厚い中央部分２２２を具備する打撃フェース２１８とを有するゴルフクラブヘッド２００の断面図を示す。ゴルフクラブヘッド２００は、フランジ１１０ではなく打撃フェース２１８の厚肉部分２２２が利用されることを除いて、図１Ａ〜図１Ｃを参照して先に検討したゴルフクラブヘッド１００と同様である。打撃フェース２１８の厚肉部分２２２は、キャビティ２２０内に突出する。エラストマー要素２０２の前方部２０３は厚肉部分２２２の背面表面２１９に接触する。エラストマー要素２０２の背面部は、リセス２０９によってクレードル２０８内に収容され、これが後方部２１２に取り付けられ、図１Ａ〜図１Ｃを参照して先に検討したクレードル１０８と実質的に同様となる。打撃フェース２１８の肉厚部分２２２によって、エラストマー要素２０２は、図１Ａ〜図１Ｃにおけるエラストマー要素１０２よりも長さが短くて良い。ゴルフクラブヘッド２００は、また、前面ソール部２１４と背面ソール部２１６との間に配置されたソールチャネル２０４を含む。ソールチャネル２０４は、また、図１Ａ〜図１Ｃにおいて説明されたソールチャネル１０４の利点と同様の利点を実現し、また、材料で充填されてもよく、または材料で覆われてもよい。
【００３４】
図３Ａ〜図３Ｂは、エラストマー要素３０２と、エラストマー要素３０２の圧縮を調整するための調整機構とを有するゴルフクラブヘッド３００の断面図を示す。ゴルフクラブヘッド３００は、打撃フェース３１８および後方部３１２を含み、キャビティ３２０が後方部３１２および打撃フェース３１８の間に形成される。図１Ａ〜図１Ｃを参照して先に説明したゴルフクラブヘッド１００と同様に、フランジ３１０が打撃フェース３１８の背面表面３１９に配置され、フランジ３１０はエラストマー要素３０２の前方部３０３を収容する。図３Ａ〜図３Ｂに示す例においては、エラストマー要素３０２は、略円筒形状を有する。ただし、他の例において、エラストマー要素３０２は円錐形、円錐台形、球形、直方体形、またはプリズム形を有して良い。
【００３５】
ゴルフクラブヘッド３００は、また、調整機構を含む。調節機構は、打撃フェース３１８の背面表面３１９に対するエラストマー要素３０２の圧縮を調節するように構成されている。図３Ａ〜図３Ｂに示す実施例において、調整機構は、調整部収容部３０６および調整ドライバ３３０を含む。調整部収容部３０６は、キャビティ３２０への貫通孔を有する構造であって良く、調整ドライバ３３０は、ネジ切りされた部品またはネジであって良く、これは図示のとおりである。調整部収容部３０６の貫通孔は、ネジ切りされた部品３３０を収容するためのネジ切りされた内面を含む。調整部収容部３０６は、後方部３１２の鍛造または鋳造工程の一部として形成されて良く、あるいは鍛造および鋳造プロセスに続く機械加工およびタップ加工によって形成されて良い。ネジ切りされた部品３３０は、エラストマー要素３０２の背面部に接触するかまたはそれを収容する凹部などのインターフェース３３４を含む。ネジ切りされた部品３３０は、また、ネジ駆動部３３２を含み、こらは、ゴルファーがネジ駆動部３３２にアクセスできるように、少なくとも部分的に、ゴルフクラブヘッド３００の外部に露出するようになっている。ネジ駆動部３３２を介して、ネジ切りされた部品３３０が、例えばネジドライバ、アレンレンチ、またはトルクレンチによって、回転されるとき、ネジ切りされた部品３３０は、キャビティ３２０の内側または外側にされに移動する。いくつかの例において、エラストマー要素３０２の背面部に接触するか、またはそれを収容するインターフェース３３４が、潤滑付与され、もって、ネジ切りされた部品３３０が回転されるときに、エラストマー要素３０２のねじれまたは回転を防止するようになっている。ネジ切りされた部品３３０がキャビティ３２０内においてさらに移動するにつれて、打撃フェース３１８の背面表面３１９に対するエラストマー要素３０２の圧縮が増大し、それによってエラストマー要素３０２の性能が変化する。
【００３６】
打撃フェース３１８の背面表面３１９に対するエラストマー要素３０２のより高い圧縮は、打撃フェース３１８の撓みをさらに制限する。次に、撓みのさらなる制限は打撃フェース３１８全体にわたり、より均一なボール速度を引き起こす。ただし、撓みの制限は、また、打撃フェース３１８の中心からの最大ボール速度を低下させる。調整機構でエラストマー要素３０２の圧縮を調整可能にすることによって、ゴルファーまたはゴルフクラブフィッティングの専門家は、ゴルファーの特定のニーズに合うように、圧縮を調整して良い。例えば、さらなる最大距離を望むけれども打撃フェース３１８全体にわたり均一なボール速度を必要としないゴルファーは、ネジ切りされた部品３３０を緩めることによってエラストマー要素３０２の初期設定圧縮を低減することができる。対照的に、打撃フェース３１８全体にわたるボール速度を望むゴルファーは、ネジ切りされた部品３３０を締め付けてエラストマー要素３０２の初期設定圧縮を増大させることができる。
【００３７】
調整機構は、図３Ａ〜図３Ｂにおいて、ネジ切りされた部品３３０およびネジ切りされた貫通孔を含むように示されているけれども、他の調整機構を用いて、打撃フェース３１８の背面表面に対するエラストマー要素３０２の圧縮を調整できる。例えば、調整機構はレバーを含んで良く、このレバーの回動がエラストマー要素３０２の圧縮を変更して良い。調節機構は、また、エラストマー要素３０２の圧縮を直接増大させるために押し下げ可能なボタンを含んで良い。他の種類の調節機構も、また、使用されて良い。
【００３８】
ゴルフクラブヘッド３００は、また、図１Ａ〜図１Ｃを参照して上述したソールチャネル１０４と同様なソールチャネル３０４を、前面ソール部３１４と背面ソール部３１６との間に含む。ソールチャネル３０４は、また、ソールチャネル１０４の利点と同様の利点を実現し、また、材料で満たされたり、覆われたりして良い。
【００３９】
ゴルフクラブヘッド３００は、また、キットとして製造され、または販売されて良い。調整機構が、ネジなどのネジ切りされた部品３３０である図示の例においては、キットは複数のネジ切りされた部品３３０を含んで良い。ネジ切りされた部品３３０のそれぞれは、ゴルファーが所望のウエイトを選択できるように異なる重量を有して良い。例えば、あるゴルファーはアイアンのヘッドについて全体的に軽いウエイトを好むかもしれないけれども、別のゴルファーはより重いウエイトを好むかもしれない。複数のネジ切りされた部品３３０は、また、望まれる場合には、ネジ切りされた部品３３０のそれぞれの重量をその長さ方向にそって分散させるように構成して良い。複数のネジ切りされた部品３３０は、また、長さを異ならせて良い。長さを異ならせることによって、ネジ切りされた部品３３０の各々は、エラストマー要素３０２に印加可能な最大圧縮を有して良い。例えば、ネジ切りされた部品３３０が短いと、より長いものと較べて、大きな力をエラストマー要素３０２に加えることができないかもしれず、これは、調整部収容部３０６の構成に依存する。キットは、また、ネジ切りされた部品３３０を調整部収容部３０６に取り付けるためのトルクレンチを含んで良い。トルクレンチは、異なる圧縮または性能レベルに対応するプリセット設定を含んで良い。
【００４０】
図４Ａは、エラストマー要素４０２とエラストマー要素４０２の圧縮を調整するための調整機構とを有するゴルフクラブヘッド４００Ａの別の例の斜視図を示す。図４Ｂはゴルフクラブヘッド４００Ａの断面図を示す。ゴルフクラブヘッド４００Ａは、打撃フェース４１８と、後方部４１２とを含み、それらの間にキャビティ４２０が形成されている。図３Ａおよび図３Ｂの調整機構と同様に、ゴルフクラブヘッド４００Ａの調整機構は、調整部収容部４０６と調整ドライバ４３０とを含む。図示の例において、調整部収容部４０６は、調整ドライバ４３０を収容するためのネジ切りされた貫通孔を有する構造であり、調整ドライバ４３０はネジである。いくつかの実施例において、調整部収容部４０６は、追加の構造を必要とせずに、後方部４１２を通るネジ切りされた貫通孔によって形成された良い。
【００４１】
ネジ４３０の先端は、エラストマー要素４０２の背面部を保持するクレードル４０８Ａと接触している。ネジ４３０が回転されると、ネジ４３０の横方向の動きは、クレードル４０８Ａを近づけたり遠ざけたりする。したがって、いくつかの例において、ネジ４３０は打撃フェース４１８の背面表面４１９に対して実質的に直角に延びる。クレードル４０８Ａはエラストマー要素４０２の背面部を保持するので、クレードル４０８Ａの移動により、打撃フェース４１８の背面表面４１９に対するエラストマー要素４０２の圧縮が変化する。このように、エラストマー要素４０２の圧縮が、ネジ駆動部４３２を介してネジ４３０を回転させることにより、調整されて良く、これは図３Ａ〜図３Ｂにおいて示したゴルフクラブヘッド３００におけるネジ切りされた部品３３０の操作と同様である。
【００４２】
図４Ｃは、エラストマー要素４０２とエラストマー要素４０２の圧縮を調整するための調整機構とを有するゴルフクラブヘッド４００Ｃの別の例の断面図を示す。ゴルフクラブヘッド４００Ｃは、図４Ａ〜図４Ｃに示すゴルフクラブヘッド４００Ａと実質的に同様であり、ただし、ゴルフクラブヘッド４００Ｃは、比較的小さなクレードル（例えば深さｄを有する図４Ａ〜図４Ｂのクレードル４０８Ｂ）の深さより大きな深さＤを有する。より大きいクレードル４０８Ｃは、より小さいクレードルよりも多くのエラストマー要素４０２を包含する。エラストマー要素４０２のより大きな部分を囲むことによって、クレードル４０８Ｃはゴルフクラブヘッド４００Ｃによるゴルフボールの打撃時のエラストマー要素４０２の変形をさらに制限する。エラストマー要素４０２の変形の制限は、また、打撃フェース４１８の潜在的な最大撓みを制限し、このため、打撃フェース４１８全体にわたり速度の均一性を高めながらゴルフクラブヘッド４００Ｃの最大ボール速度を減少させ得る。大きなクレードル４０８Ｃは、その最大たわみで、打撃フェース４１８の背面表面４１９と接触しない。クレードル４０８Ｃ自体は、鋼鉄など、後方部４１２と同じ材料で製造することができる。クレードル４０８Ｃは、また、チタン、複合材料、セラミック、または他の様々な材料から作られて良い。
【００４３】
クレードル４０８Ｃのサイズは、所望のボール速度特性に基づいて選択されて良い。例えば、クレードル４０８Ｃは、図４に示されるように、エラストマー要素４０２の体積の約２５％以上を包囲して良い。他の例において、クレードル４０８Ｃは、エラストマー要素４０２の体積の約２５％〜５０％を包囲して良い。さらに他の例において、クレードル４０８Ｃは、エラストマー要素４０２の体積の約１０％〜２５％または約１０％未満を包囲して良い。さらに他の例において、クレードル４０８Ｃは、エラストマー要素４０２の体積の５０％超を包囲して良い。クレードル４０８Ｃによって包囲されたエラストマー要素４０２の部分については、実質的にエラストマー要素４０２の当該部分の全周面がクレードル４０８Ｃのリセス４０９の内面に接触して良い。
【００４４】
クレードル４０８Ｃと調整ドライバ４３０との間の接続も、また、図４Ｃにおいてより明確に見ることができる。調整ドライバ４３０の先端は、平坦面でもよく、クレードル４０８Ｃの背面表面４０７に接触する。したがって、調整ドライバ４３０がキャビティ４２０内に移動すると、クレードル４０８Ｃおよびエラストマー要素４０２は打撃フェース４１８に向かって押される。逆に、調整ドライバ４３０がキャビティ４２０から後退すると、エラストマー要素４０２の圧縮により付与される力によって、クレードル４０８Ｃは、調整ドライバ４３０との接触を維持する。いくつかの実施例において、ネジ４３０の先端の表面および／またはクレードル４０８Ｃの背面表面は潤滑化されて良く、これによってクレードル４０８Ｃのねじれを防ぐようになっている。他の例において、調整ドライバ４３０の先端は、クレードル４０８Ｃが調整ドライバ４３０の回転と共にねじれるようにクレードル４０８Ｃに取り付けられても良い。そのような実施例において、エラストマー要素４０２は、実質的に円筒形、円錐形、球形であって良い。別の例において、打撃フェース４１８の背面表面４１９および／または当該打撃フェース４１８の背面表面４１９に接触しているエラストマー要素４０２の前面表面は、潤滑化されて良く、これによって、打撃フェース４１８の背面表面４１９に対してエラストマー要素４０２を回転させることができる。
【００４５】
ゴルフクラブヘッド４００Ａおよび４００Ｃは、図示のとおり、図３Ａおよび図３Ｂのゴルフクラブヘッド３００のようなソールチャネルではなく連続ソール４１４を用いているけれども、ゴルフクラブヘッド４００Ａおよび４００Ｃの他の実施例はソールチャネルを含んで良い。加えて、ゴルフクラブヘッド４００Ａおよび４００Ｃは、また、ゴルフクラブヘッド３００について上述したキットと同様に、複数のネジおよび／またはトルクレンチを備えたキットとして販売されて良い。追加のバックプレートを後方部に追加して良いけれども、調整のために、ネジの一部を露出させたままにして良い。
【００４６】
異なる種類のゴルフクラブヘッドのシミュレーション結果は、エラストマー要素を含むゴルフクラブヘッドのフェースにわたるボールスピードの均一性をさらに実証する。表１は、いくつかの異なる例示的ゴルフクラブヘッドについて、ゴルフクラブヘッドのフェースを横切るボール速度が維持されていることを示す。例１は、ソールチャネルを有する２．１ｍｍのフェース厚を有するベースライン中空アイアンである。例２は、後方部から打撃フェースまで延在する剛性ロッドを有する２．１ｍｍのフェースを有する中空アイアンであり、これもまたソールチャネルを含む。例３は、厚い中心（６．１ｍｍ）および薄い外周（２．１ｍｍ）の打撃フェースを有する中空アイアンであり、これもソールチャネルを具備する。例４は、図１Ａ〜図１Ｃに示すゴルフクラブヘッド１００と同様のエラストマー要素を有するゴルフクラブヘッドである。「中央」の列はゴルフクラブヘッドの中心での打撃から生じるボール速度を示し、「１／２"のヒール」の列はクラブヘッドの中心からヒールに向かって半インチの打撃からのボール速度の損失を示す。そして、「１／２"のトウ」の行は、クラブヘッドの中心からトウに向かって半インチのところでの打撃からのボール速度の損失を示す。表１の値はすべて時速マイル（ｍｐｈ）である。
【表１】
0003226453.tif 000003
表１の結果から、エラストマーを有するゴルフクラブヘッド（例４）は、フェースの中心から比較的高いボールスピードを達成し、その一方でゴルフクラブのトウまたはヒールの近くでの打撃からのボール速度の損失が少ない。
【００４７】
さらに、上述のように、ここで検討したエラストマー要素のいずれにも利用される材料の種類は、打撃フェースの変位に影響を与える。例えば、より大きな弾性率を有するエラストマー要素は、打撃フェースの圧縮ひいては打撃フェースの撓みに抵抗し、より低いボール速度をもたらす。例えば、ゴルフクラブヘッド４００Ａと類似のゴルフクラブヘッドについて、表２は、異なる弾性特性を有する材料を使用することによって達成されたボール速度を示す。すべてのボール速度はフェースの中央での打撃の結果である。
【表２】
0003226453.tif 000004
表２の結果から、エラストマー要素の材料の選択はゴルフクラブの性能を微調整するために使用することができる。表２に列挙された材料のいずれも、本技術で使用されるエラストマー要素を形成するのに使用するのに許容可できる。
【００４８】
異なる種類の材料は、また、打撃フェースにわたってボール速度を保持するうえで影響を与える。例えば、ゴルフクラブヘッド４００Ａと同様のゴルフクラブヘッドについて、表３は、エラストマー要素として使用された異なる材料について、ヒールからトウまで打球面にわたって達成されたボール速度を示す。表３で参照されている材料は表２と同じ材料である。表３中のすべての速度はｍｐｈである。
【表３】
0003226453.tif 000005
表３の結果から、より高い弾性率を有する材料は打撃フェース全体にわたってボール速度を良好に保持するけれども、フェースの中心での衝撃に対して最大ボール速度を失う。いくつかの用途では、約４〜約１５ＧＰａのエラストマー要素の弾性率の範囲を使用することができる。他の用途では、約１〜約４０または約５０ＧＰａのエラストマー要素の弾性率の範囲を使用することができる。
【００４９】
図４Ａ〜図４Ｃを参照して上述したように、クレードルの大きさもボール速度に影響を及ぼし得る。図４Ａ〜図４Ｂのクレードル４０８Ａのような、より小さいクレードルで、１３ＧＰａの材料で作製されたエラストマー要素の場合、エラストマー要素を有しない同じクラブと比較して、中心衝撃に対して約０．２ｍｐｈの損失が観察される。図４Ｃのクレードル４０８Ｃのように、約５ｍｍ深い、より大きなクレードルで、１３ＧＰａの材料から作られたエラストマー要素の場合、エラストマー要素を有しない同じクラブと比較して、中心衝撃に対して約０．４ｍｐｈの損失が観察される。同様のより大きいクレードルで０．４ＧＰａの材料で作られたエラストマー要素の場合では、エラストマー要素を含まない同じクラブと比較して、中心衝撃についてわずか約０．２ｍｐｈの損失が観察されるだけである。
【００５０】
カリフォルニア州、ナショナルシティのサンディエゴプラスチックス社は、２．６ＧＰａから１３ＧＰａまでの範囲の弾性率を有するいくつかのプラスチックを提供しており、それらはすべて使用に許容できるものである。これらプラスチックは、また、ここで検討されるゴルフクラブヘッドでの使用に許容される降伏強度も有する。表４に、サンディエゴプラスチックス社が提供するいくつかの材料とそれぞれの弾性率および降伏強度の値を示す。
【表４】
0003226453.tif 000006
【００５１】
エラストマー要素を含めることによって、また、ゴルフボールとの衝突時に打撃フェース面によって生じる応力値を減少させ、もって、クラブフェースの耐久性を向上させるという利益が生じる。図５Ａは、エラストマー要素を含まないゴルフクラブヘッド５００Ａの応力等高線図を示す。図５Ｂは、エラストマー要素を有するゴルフクラブヘッド５００Ｂの応力等高線図を示す。ゴルフクラブヘッド５００Ａにおいては、フェース５０２Ａの中心でのフォンミーゼス応力（ｖｏｎ  Ｍｉｓｅｓ  ｓｔｒｅｓｓ）は、ボトムフェースエッジ５０４Ａで発生する最大フォンミーゼス応力の約６８％である。エラストマー要素がなければ、フォンミーゼス応力レベルは高く、クラブフェースが破損および／または早期劣化の影響を受けやすい可能性があることを示している。ゴルフクラブヘッド５００Ｂでは、０．４１ＧＰａの弾性率を有するエラストマー要素の場合、エラストマー要素５０２Ｂのエッジ付近のフェースのフォンミーゼス応力が約１６％減少し、ボトムフェースエッジ５０４Ｂに発生する最大フォンミーゼス応力が約１８％だけ減少する。これらのフォンミーゼス応力は依然として比較的高いが、ゴルフクラブヘッド５００Ａのものよりも著しく低減されている。約１３ＧＰａの弾性率を有するエラストマー要素を有するゴルフクラブヘッド５００Ｂでは、エラストマー要素５０２Ｂのエッジ近くのフェースに対するフォンミーゼス応力は約５０％減少し、ボトムフェースエッジ５０４Ｂで発生する最大フォンミーゼス応力は約５６％減少している。そのようなフォンミーゼス応力値は、より小さく、そして故障する可能性がより少ないかもしれない、より耐久性のあるゴルフクラブヘッドであること示している。
【００５２】
図６Ａ〜図６Ｅは、エラストマー要素６０２を有するゴルフクラブヘッド６００を示す。図６Ａはゴルフクラブヘッド６００の正面図を示す。図６Ｂは、図６Ａのゴルフクラブヘッド６００のトウ側の側面図を示す。図６Ｃは、図６Ａのゴルフクラブヘッド６００のＡ−Ａ断面図を示す。図６Ｄは、打撃フェース６１８に直角に配位された図６Ａのゴルフクラブヘッド６００の斜視図を示す。図６Ｅは、被支持領域６４２を含む打撃フェース６１８に直角に配位された図６Ａのゴルフクラブヘッド６００の斜視図を示す。ゴルフクラブヘッド６００は、ボールを打つように構成された打撃フェース６１８と、ゴルフクラブヘッド６００の底部に配置されたソール６０５と、後方部６１２とを含む。
【００５３】
図６Ａおよび図６Ｂに示すように、ゴルフクラブヘッド６００は、ゴルフクラブヘッド６００の重心（ＣＧ）を中心とする座標系を含む。この座標系は、ヘッド６００を所定のライおよびロフトαでアドレス位置に配置したときに、地面に対して直角に垂直に伸びるｙ−軸を含む。この座標系は、ｙ−軸に直角で打撃フェース６１８に平行で、ゴルフクラブヘッド６００のヒールに向かって延びるｘ−軸を含む。この座標系は、ｙ−軸およびｘ−軸に垂直で、打撃フェース６１８を通じて伸びるｚ−軸を含む。ゴルフクラブヘッド６００は、ｙ−軸まわりの回転慣性モーメント（ＭＯＩ−Ｙ）を有し、これはｙ−軸の周りの角加速度に対するゴルフクラブヘッドの抵抗を表す値である。
【００５４】
エラストマー要素６０２は打撃フェース６１８と後方部６１２との間に配置される。打撃フェース６１８は背面表面６１９を含む。エラストマー要素６０２の前方部６０３は打撃フェース６１８の背面表面６１９と接触する。図６Ｃおよび図６Ｅに示すように、打撃フェース６１８は被支持領域６４２、すなわち、エラストマー要素６０２によって支持される背面表面６１９の部分を含み、これは、被支持領域境界６４０の内側の領域と定義され、この被支持領域境界は、打撃フェース６１８の背面表面６１９と接触するエラストマー要素６０２の前方部６０３の外側範囲によって定義される。被支持領域６４２は、図６Ｅにハッチングで示されている。被支持領域６４２は通常ではゴルフクラブヘッド６００の正面からは見えないが、説明の目的で追加されたものである。
【００５５】
打撃フェース６１８は、打撃フェース領域６５２を含み、これは図６Ｄに示されるように打撃フェース周囲６５０の内側の領域として定義される。図６Ｃに示されるように、打撃フェース周囲は、上限６５４および下限６５６によって画定されている。上限６５４は、実質的に平坦な背面表面６１９と、ゴルフクラブヘッド６００のトップラインまで延びる上側半径６５５との交点に位置している。下限６５６は、実質的に平坦な背面表面６１９と、ゴルフクラブヘッド６００のソール６０５まで延びる下側半径６５７との交点に位置している。打撃フェース周囲も同様にゴルフクラブヘッド６００のトウ（断面図では示されていない）に規定されている（６５８）。打撃フェース周囲のヒール部分は、平面６５９によって規定され、この平面６５９は、ｙ−軸およびｘ−軸に平行に延び、打撃フェース６１８に形成されたスコアライン６６０の最もヒール側の範囲からヒールに向かって１ミリメートル（ｍｍ）ずれてる。図６Ｄにおいて、打撃フェース領域６５２をハッチングで示されている。打撃フェース周囲の境界６５４、６５６は、図解および理解を容易にするため、打撃フェース６１８上に投影されている。
【００５６】
ここで説明されたゴルフクラブヘッド６００と非常によく似た複数のゴルフクラブヘッドをセットに含めることができ、各ゴルフクラブヘッドは異なるロフトαを有する。各ゴルフクラブヘッドは、また、追加の変化する特徴を有して良く、これは、例えば、ＭＯＩ−Ｙ、打撃フェース面積、被支持領域の面積、および支持されていないフェースパーセンテージを含んで良い。サポートされていないフェースパーセンテージは、被支持領域の面積を打撃フェースの面積で割って１００％を掛け、それを１００％から引いて計算される。一組のアイアンタイプゴルフクラブヘッドの一例が以下の表５に含まれる。表５のセットは、２１、２４、２７、および３０のロフトを含む。他のセットは、より多数のゴルフクラブヘッドおよび／またはより広範囲のロフトα値を含んで良く、または、より少数のゴルフクラブヘッドおよび／またはより小さな範囲のロフトα値を含んで良い。さらに、セットは、エラストマー要素を含む１つ以上のゴルフクラブヘッドと、エラストマー要素を含まない１つ以上のゴルフクラブヘッドとを含んで良い。
【表５】
0003226453.tif 000007
【００５７】
付加的な実施例のアイアンクラブヘッドのセットの例が以下の表６に含まれる。
【表６】
0003226453.tif 000008
【００５８】
他のすべての特性が一定に保たれている場合、ＭＯＩ−Ｙ値が大きいほど、中心を外れた打撃のボール速度が増加する。ＭＯＩ−Ｙが小さいクラブでは、支持されていないフェースパーセンテージが大きいほど、芯を外れたボールの速度の低下を軽減でる。より少ないパーセンテージでフェースを支持することによって、より多くのフェースがインパクト中に撓むことができ、中心から外れたボールの速度を上げる。したがって、上記の表５に記載された本考案のゴルフクラブセットでは、ロフトαが増加するにつれてＭＯＩ−Ｙはセットを通して増加し、支持されていないフェースパーセンテージはロフトαが増加するにつれてセットを通して減少する。この関係は、一組のゴルフクラブを通して芯から外れたボール速度の一貫性を実現する。
【００５９】
一組のゴルフクラブは、２０度以上２４度以下のロフトを有する第１のゴルフクラブヘッドと、２８度以上で３２度以下のロフトを有する第２のゴルフクラブヘッドとを含むことができる。一実施例において、第１ゴルフクラブヘッドが第２ゴルフクラブヘッドよりも大きい支持されていないフェースパーセンテージを有し、第１ゴルフクラブヘッドが第２ゴルフクラブヘッドよりも低いＭＯＩ−Ｙを有するようにセットを構成できる。
【００６０】
ここに記載される実施例のより具体的な特徴を以下に説明する。いくつかの実施例において、被支持領域の面積は、３０ｍｍ２より大きくて良い。いくつかの実施例において、被支持領域の面積は、４０ｍｍ２より大きくて良い。いくつかの実施例において、被支持領域の面積は、６０ｍｍ２より大きくて良い。いくつかの実施例において、被支持領域の面積は、６５ｍｍ２より大きくて良い。いくつかの実施例において、被支持領域の面積は７０ｍｍ２より大きくて良い。いくつかの実施例において、被支持領域の面積は７３ｍｍ２より大きくて良い。
【００６１】
いくつかの実施例において、被支持領域の面積は、１４０ｍｍ２より小さくて良い。いくつかの実施例において、被支持領域の面積は、１３００ｍｍ２より小さくて良い。いくつかの実施例において、被支持領域の面積は、１２０ｍｍ２より小さくて良い。いくつかの実施例において、被支持領域の面積は、１１０ｍｍ２より小さくて良い。いくつかの実施例において、被支持領域の面積は１００ｍｍ２より小さくて良い。いくつかの実施例において、被支持領域の面積は９０ｍｍ２より小さくて良い。。いくつかの実施例において、被支持領域の面積は８５ｍｍ２より小さくて良い。いくつかの実施例において、被支持領域の面積は８０ｍｍ２より小さくて良い。いくつかの実施例において、被支持領域の面積は７５ｍｍ２より小さくて良い。
【００６２】
いくつかの実施例において、支持されないフェースパーセンテージは７０％より大きい。いくつかの実施例において、支持されないフェースパーセンテージは７５％より大きい。いくつかの実施例において、支持されないフェースパーセンテージは８０％より大きい。いくつかの実施例において、支持されないフェースパーセンテージは８５％より大きい。いくつかの実施例において、支持されないフェースパーセンテージは９０％より大きい。いくつかの実施例において、支持されないフェースパーセンテージは９５％より大きい。いくつかの実施例において、支持されないフェースパーセンテージは９６％より大きい。いくつかの実施例において、支持されないフェースパーセンテージは９７％より大きい。
【００６３】
いくつかの実施例において、支持されないフェースパーセンテージは９９．７５％より小さい。いくつかの実施例において、支持されないフェースパーセンテージは９９．５０％より小さい。いくつかの実施例において、支持されないフェースパーセンテージは９９．２５％より小さい。いくつかの実施例において、支持されないフェースパーセンテージは９９．００％より小さい。いくつかの実施例において、支持されないフェースパーセンテージは９８．７５％より小さい。いくつかの実施例において、支持されないフェースパーセンテージは９８．５０％より小さい。いくつかの実施例において、支持されないフェースパーセンテージは９８．２５％より小さい。いくつかの実施例において、支持されないフェースパーセンテージは９８．００％より小さい。いくつかの実施例において、支持されないフェースパーセンテージは９７．７５％より小さい。いくつかの実施例において、支持されないフェースパーセンテージは９７．５０％より小さい。いくつかの実施例において、支持されないフェースパーセンテージは９７．２５％より小さい。いくつかの実施例において、支持されないフェースパーセンテージは９７．００％より小さい。
【００６４】
図７Ａ〜図１０は、エラストマー要素７０２を有するゴルフクラブヘッド７００を示す。図７Ａはゴルフクラブヘッド７００の斜視図を示す。図７Ｂは、図７Ａのゴルフクラブヘッド７００の追加の斜視図を示す。図７Ｃは、図７Ａのゴルフクラブヘッド７００の背面図を示す。図８Ａは、図７Ｃのゴルフクラブヘッド７００のＢ−Ｂ断面図を示す。図８Ｂは、図７Ｃのゴルフクラブヘッド７００のＣ−Ｃ断面図を示す。図８Ｃは、図７Ｃのゴルフクラブヘッド７００のＤ−Ｄ断面図Ｄを示す。図９Ａは、図７Ａのゴルフクラブヘッド７００の前面の追加の斜視図を示し、打撃フェースを除いて示す。図９Ｂは、図９Ａの断面図を示し、エラストマー要素が除かれている。図１０は、図７Ａのゴルフクラブヘッド７００の斜視図を示し、これは、被支持領域７４２を含む打撃フェース７１８に直角に配向されている。図７Ａ〜図１０に示されるゴルフクラブヘッド７００はアイアンタイプのキャビティバックゴルフクラブであるけれども、ここで説明される考案は他のタイプのゴルフクラブヘッドにも同様に適用可能であることに留意されたい。
【００６５】
ゴルフクラブヘッド７００は、打撃フェース７１８と後方部７１２との間に配置された変形可能部材７０２を含む。一実施例において、変形可能部材７０２はエラストマーから形成される。エラストマー要素７０２の前方部７０３は打撃フェース７１８の背面表面７１９と接触する。打撃フェース７１８は被支持領域７４２、すなわち、背面表面７１９のエラストマー要素７０２によって支持される部分を含み、これは、打撃フェース７１８の背面表面７１９と接触しているエラストマー要素７０２の前方部７０３の外側範囲によって画定される被支持領域周囲７４０の内側の領域として定義される。被支持領域７４２は通常ゴルフクラブヘッド７００の前面からは見えないであろうけれども、説明の便宜上、図１０を追加されている。
【００６６】
図７Ａ〜図１０に示すゴルフクラブヘッド７００は、キャビティバック構造であり、打撃フェース７１８を囲んで後方に延びる周辺部７０１を含む。周辺部７０１は、ソール７０５、トウ７０６、およびトップライン７０７を含む。周辺部７０１はウエイトパッド７１０を含んでも良い。ゴルフクラブヘッド７００は、また、エラストマー要素７０２を支持するように構成された後方部７１２を含む。
【００６７】
後方部７１２は、周辺部７０１に固定された片持ち支持アーム７６２を含む。支持アーム７６２は、エラストマー要素７０２を所定の位置に保持するように構成されたクレードル７０８を含むことができる。クレードル７０８は、エラストマー要素７０２をクレードル７０８上で打撃フェース７１８に対して位置決めするように構成されたリップ７０９を含むことができる。リップ７０９は、エラストマー要素７０２の一部を囲むことができる。さらに、エラストマーおよびクレードル７０８の間に接着剤を使用して、エラストマー要素７０２をクレードル７０８に固定することができる。
【００６８】
支持アーム７６２は、周辺部７０１のソール７０５とトウ７０６との交差部に位置するウエイトパッド７１０から被支持領域７４２に向かって延びる。支持アーム７６２は、打撃フェース７１８の背面表面７１９と実質的に平行に配向されている。支持アーム７６２は、支持アーム７６２の剛性を高めるためのリブ７６４を含むことができる。リブ７６４は、支持アーム７６２から打撃フェース７１８の背面表面７１９に対して実質的に垂直に後方に延びることができる。片持ち支持アーム７６２の利点は、それが、両端を周囲部によって支持する図４Ａに示す実施例のような代替のビーム設計よりも低いＣＧ高さを実現することである。
【００６９】
低いＣＧ高さを提供するために、支持アーム７６２は片持ち支持され、それは支持アーム７６２の一方の端部で周辺部７０１に固定されるだけであることを意味する。支持アームは、ゴルフクラブヘッド７００をアドレス位置に配置したときの支持アーム７６２の最も高い部分と地面平面ＧＰの間の距離Ｈが、図８Ｃに示すように最小化され、それでいて、エラストマー要素７０２を最適な位置に位置決めするように設計されている。一実施例において、Ｈは５０ｍｍ以下である。他の実施例において、Ｈは４５ｍｍ未満である。他の実施例において、Ｈは４０ｍｍ以下である。他の実施例において、Ｈは３５ｍｍ以下である。他の実施例において、Ｈは３０ｍｍ以下である。他の実施例において、Ｈは２９ｍｍ以下である。他の実施例において、Ｈは２８ｍｍ以下である。
【００７０】
一実施例において、ゴルフクラブヘッド７００は、２５ｍｍ以下のＣＧ高さＣＧＨを有することができる。他の実施例において、ゴルフクラブヘッド７００は、２４ｍｍ以下のＣＧ高さＣＧＨを有することができる。他の実施例において、ゴルフクラブヘッド７００は、２３ｍｍ以下のＣＧ高さＣＧＨを有することができる。他の実施例において、ゴルフクラブヘッド７００は、２２ｍｍ以下のＣＧ高さＣＧＨを有することができる。他の実施例において、ゴルフクラブヘッド７００は、２１ｍｍ以下のＣＧ高さＣＧＨを有することができる。他の実施例において、ゴルフクラブヘッド７００は、２０ｍｍ以下のＣＧ高さＣＧＨを有することができる。他の実施例において、ゴルフクラブヘッド７００は、１９ｍｍ以下のＣＧ高さＣＧＨを有することができる。他の実施例において、ゴルフクラブヘッド７００は、１８ｍｍ以下のＣＧ高さＣＧＨを有することができる。
【００７１】
図示された支持アーム７６２の別の利点は、その向きによりそれが高いＭＯＩ−Ｙを提供することである。ゴルフクラブヘッド７００のヒール端およびトウ端に質量を集中させることによって、ＭＯＩ−Ｙを増加させることができる。支持アーム７６２は、その質量の大部分をトウ７０６の近くに集中させるように角度を付けられ、ゴルフクラブヘッド７００のより中心に位置する後方部と比較してＭＯＩ−Ｙを増加させる。一実施例において、ゴルフクラブヘッド７００のＭＯＩ−Ｙは、は２００ｋｇ−ｍｍ２以上である。他の実施例において、ゴルフクラブヘッド７００のＭＯＩ−Ｙは２１０ｋｇ−ｍｍ２以上である。他の実施例において、ゴルフクラブヘッド７００のＭＯＩ−Ｙは２２０ｋｇ−ｍｍ２以上である。他の実施例において、ゴルフクラブヘッド７００のＭＯＩ−Ｙは２３０ｋｇ−ｍｍ２以上である。他の実施例において、ゴルフクラブヘッド７００のＭＯＩ−Ｙは２４０ｋｇ−ｍｍ２以上である。他の実施例において、ゴルフクラブヘッド７００のＭＯＩ−Ｙは２５０ｋｇ−ｍｍ２以上である。他の実施例において、ゴルフクラブヘッド７００のＭＯＩ−Ｙは、２６０ｋｇ−ｍｍ２以上である。他の実施例において、ゴルフクラブヘッド７００のＭＯＩ−Ｙは、２７０ｋｇ−ｍｍ２以上である。
【００７２】
支持アーム７６２は、図８Ａに示すように、アーム中心線ＣＬを含むことができ、これは、打撃フェース７１８の背面表面７１９と平行に配向され、支持アーム７６２の中心に沿って周辺部７０１から被支持領域７４２に向かって延びる。角度αは、地面平面ＧＰと中心線ＣＬとの間で測定される。一実施例において、角度αは、５度以上４５度以下である。他の実施例において、角度αは１０度以上４０度以下である。他の実施例において、角度αは１５度以上３５度以下である。他の実施例において、角度αは、２０度以上３０度以下である。他の実施例において、角度αは、２３度以上２８度以下である。
【００７３】
支持アーム７６２は、アーム中心線ＣＬに垂直で打撃フェース７１８の背面表面７１９に平行に測定されたアーム幅ＡＷを有することができる。アーム幅ＡＷは、支持アーム７６２の長さに沿って変化することができる。実施例において、支持アームの少なくとも一部分のアーム幅は６ｍｍ以上である。他の実施例において、支持アームの少なくとも一部分のアーム幅は８ｍｍ以上である。他の実施例において、支持アームの少なくとも一部分のアーム幅は１０ｍｍ以上である。
【００７４】
支持アーム７６２は、打撃フェース７１８の背面表面７１９に対して垂直に測定されたアーム厚さＡＴを有することができる。アーム厚さＡＴは、支持アーム７６２の長さに沿って変化することができる。１実施例において、支持アームの少なくとも一部分のアーム厚さＡＴは、２ｍｍ以上である。他の実施例において、支持アームの少なくとも一部分のアーム厚ＡＴは、３ｍｍ以上である。他の実施例において、支持アームの少なくとも一部のアーム厚ＡＴは、４ｍｍ以上である。他の実施例において、支持アームの少なくとも一部分のアーム厚ＡＴは５ｍｍ以上である。他の実施例において、支持アームの少なくとも一部分のアーム厚ＡＴは、６ｍｍ以上である。
【００７５】
支持アーム７６２のリブ７６４は、アーム中心線ＣＬに垂直で打撃フェース７１８の背面表面７１９に平行に測定されたリブ幅ＲＷを有することができる。リブ幅ＲＷは、リブの長さに沿って変化することができる。一実施例において、リブの少なくとも一部のリブ幅ＲＷは１ｍｍ以上である。他の実施例において、リブの少なくとも一部のリブ幅ＲＷは２ｍｍ以上である。他の実施例において、リブの少なくとも一部のリブ幅ＲＷは３ｍｍ以上である。他の実施例において、リブの少なくとも一部のリブ幅ＲＷは４ｍｍ以上である。
【００７６】
支持アーム７６２のリブ７６４は、打撃フェース７１８の背面表面７１９に対して垂直に測定されたリブ厚さＲＴを有することができる。リブ厚さＲＴは、リブの長さに沿って変化することができる。一実施例において、リブの少なくとも一部分のリブ厚さＲＴは、２ｍｍ以上である。他の実施例において、リブの少なくとも一部のリブ厚さＲＴは、３ｍｍ以上である。他の実施例において、リブの少なくとも一部のリブ厚さＲＴは、４ｍｍ以上である。他の実施例において、リブの少なくとも一部のリブ厚さＲＴは５ｍｍ以上である。他の実施例において、リブの少なくとも一部のリブ厚さＲＴは、６ｍｍ以上である。
【００７７】
図１０に示すように、被支持領域７４２は、打撃フェース７１８の背面表面７１９条に位置決めされる。打撃フェースヒール基準面７５９は、ｙ−軸およびｘ−軸に平行に延在し、かつ、打撃フェース７１８に形成されたスコアライン７６０の最もヒール側からヒールに向かって１ｍｍずれて位置する。被支持領域７４２の幾何学的中心７４３は、ゴルフクラブヘッド７００をアドレス位置においた際に、地面平面ＧＰに平行でかつ打撃フェース７１８に平行に測定された、打撃フェースヒール基準面７５９からトウ方向に被支持領域オフセット長ＳＲＯＬだけずれて位置している。一実施例において、被支持領域オフセット長ＳＲＯＬは２０ｍｍ以上である。他の実施例において、被支持領域オフセット長ＳＲＯＬは２２ｍｍ以上である。他の実施例において、被支持領域オフセット長ＳＲＯＬは２４ｍｍ以上である。他の実施例において、被支持領域オフセット長ＳＲＯＬは２６ｍｍ以上である。他の実施例において、被支持領域オフセット長ＳＲＯＬは２７ｍｍ以上である。他の実施例において、被支持領域オフセット長ＳＲＯＬは２８ｍｍ以上である。
【００７８】
打撃フェース長ＳＦＬは、ゴルフクラブヘッド７００をアドレス位置に配置した際に、打撃フェースヒール基準面７５９から打撃フェース７１８の最もトウ側に位置まで地面平面ＧＰに平行にかつ打撃フェース７１８に平行に測定される。一実施例において、打撃フェース長ＳＦＬは６０ｍｍ以上である。他の実施例において、打撃フェース長ＳＦＬは６５ｍｍ以上である。他の実施例において、打撃フェース長ＳＦＬは７０ｍｍ以上である。他の実施例において、打撃フェース長ＳＦＬは７１ｍｍ以上である。他の実施例において、打撃フェース長ＳＦＬは７２ｍｍ以上である。他の実施例において、打撃フェース長ＳＦＬは７３ｍｍ以上である。他の実施例において、打撃フェース長ＳＦＬは７４ｍｍ以上である。
【００７９】
一実施例において、被支持領域オフセット比は、被支持領域オフセット長ＳＲＯＬを、打撃フェース長ＳＦＬで割ったものに１００％を掛けたものとして定義され、この被支持領域オフセット比４０％以上である。他の実施例において、被支持領域オフセット比は４１％以上である。他の実施例において、被支持領域オフセット比は４２％以上である。他の実施例において、被支持領域オフセット比は４３％以上である。他の実施例において、被支持領域オフセット比は４４％以上である。他の実施例において、被支持領域オフセット比は４５％以上である。他の実施例において、被支持領域オフセット比は４６％以上である。他の実施例において、被支持領域オフセット比は４７％以上である。他の実施例において、被支持領域オフセット比は４８％以上である。他の実施例において、被支持領域オフセット比は４９％以上である。他の実施例において、被支持領域オフセット比は５０％以上である。他の実施例において、被支持領域オフセット比は５１％以上である。
【００８０】
被支持領域７４２を組み込むことのさらなる利点は、薄い打撃フェースを利用することができることである。図示の実施例において、打撃フェース７１８は一定の厚さを有する。他の実施例において、打撃フェースは可変の厚さを有することができる。一実施例において、打撃フェースの厚さは２．５ｍｍ以下である。他の実施例において、打撃フェースの厚さは２．４ｍｍ以下である。他の実施例において、打撃フェースの厚さは２．３ｍｍ以下である。他の実施例において、打撃フェースの厚さは２．２ｍｍ以下である。他の実施例において、打撃フェースの厚さは２．１ｍｍ以下である。他の実施例において、打撃フェースの厚さは２．０ｍｍ以下である。他の実施例において、打撃フェースの厚さは１．９ｍｍ以下である。他の実施例において、打撃フェースの厚さは１．８ｍｍ以下である。他の実施例において、打撃フェースの厚さは１．７ｍｍ以下である。他の実施例において、打撃フェースの厚さは１．６ｍｍ以下である。他の実施例において、打撃フェースの厚さは１．５ｍｍ以下である。他の実施例において、打撃フェースの厚さは１．４ｍｍ以下である。
【００８１】
図１１Ａ〜１１Ｄは、エラストマー要素７０２の他の実施例を具備する図７Ａのゴルフクラブヘッド７００を示す。図１１Ａは、エラストマー要素７０２の他の実施例を具備するゴルフクラブヘッド７００の断面図を示している。図１１Ａのエラストマー要素７０２は、図７Ａに示す実施例と同様の円形である。エラストマー要素７０２の前方部７０３は、打撃フェース７１８の背面表面７１９と当接し、前面直径ＦＤを有し、後方部７４４は、クレードル７０８に当接し、背面直径ＲＤを有する。前面直径ＦＤは、図１１Ａに示されるエラストマー要素７０２の背面直径ＲＤと実質的に同様か、または等しい。
【００８２】
図１１Ｂは、エラストマー要素７０２の他の実施例を含むゴルフクラブヘッド７００の断面図を示している。図１１Ｂのエラストマー要素７０２は円形である。前面直径ＦＤは、図１１Ｂに示されるエラストマー要素７０２の背面直径ＲＤより大きい。クレードル７０８と接触するエラストマー要素７０２の後方部７４４は、背面支持領域７４７を具備し、これは面積を有する。
【００８３】
図１１Ｃは、エラストマー要素７０２の他の実施例を含むゴルフクラブヘッド７００の断面図を示す。図１１Ｃのエラストマー要素７０２は円形である。前面直径ＦＤは、図１１Ｃに示されるエラストマー要素７０２の背面直径ＲＤより大きい。
【００８４】
図１１Ｄは、エラストマー要素７０２の他の実施例を含むゴルフクラブヘッド７００の断面図を示している。図１１Ｄのエラストマー要素７０２は円形である。前面直径ＦＤは、図１１Ｄに示されるエラストマー要素７０２の背面直径ＲＤより大きい。さらに、後方部７４４は、打撃フェース７１８に向かって延びるテーパー領域７４６の後方の一定直径領域７４５を具備する。一実施例において、背面直径ＲＤは約１２．５ｍｍであり、前面直径ＦＤは約１８．５ｍｍである。
【００８５】
図１１Ｂ、１１Ｃ、および１１Ｄに示すエラストマー要素７０２の実施例によって提供される拡大された前方部７０３、したがって拡大された被支持領域７４２は利点を有する。これらの利点には、より安定した中心から外れたボール速度、特に３８００Ｈｚ以上の音エネルギーの低減が含まれる。
【００８６】
一実施例において、支持領域の面積は７５平方ミリメートルより大きくすることができる。他の実施例において、支持領域の面積は、１００平方ミリメートルより大きくすることができる。他の実施例において、支持領域の面積は１２５平方ミリメートルより大きくすることができる。他の実施例において、支持領域の面積は、１５０平方ミリメートルより大きくすることができる。他の実施例において、支持領域の面積は１７５平方ミリメートルより大きくすることができる。他の実施例において、支持領域の面積は２００平方ミリメートルより大きくすることができる。他の実施例において、支持領域の面積は２２５平方ミリメートルより大きくすることができる。他の実施例において、支持された領域の面積は、２５０平方ミリメートルより大きくすることができる。他の実施例において、支持領域の面積は、２５５ミリメートルより大きくすることができる２。他の実施例において、支持領域の面積は２６０ｍｍ２より大きくすることができる。さらなる実施例において、支持領域の面積は、５０平方ミリメートルより大きく、１０００平方ミリメートル未満であり得る。さらなる実施例において、支持領域の面積は、１００平方ミリメートルより大きく、１０００平方ミリメートル未満であり得る。他の実施例において、支持領域の面積は、１５０平方ミリメートルより大きく、１０００平方ミリメートル未満であり得る。さらなる実施例において、支持領域の面積は、２００平方ミリメートルより大きく、１０００平方ミリメートル未満であり得る。他の実施例において、支持領域の面積は、２５０平方ミリメートルより大きく、１０００平方ミリメートル未満であり得る。
【００８７】
一実施例において、前面直径ＦＤを背面直径ＲＤで割った比は１．２より大きい。他の実施例において、前面直径ＦＤを背面直径ＲＤで割った比は１．４より大きい。他の実施例において、前面直径ＦＤを背面直径ＲＤで割った比は１．６よりも大きい。他の実施例において、前面直径ＦＤを背面直径ＲＤで割った比は１．８より大きい。他の実施例において、前面直径ＦＤを背面直径ＲＤで割った比は２．０よりも大きい。他の実施例において、前面直径ＦＤを背面直径ＲＤで割った比は３．０より大きい。他の実施例において、前面直径ＦＤを背面直径ＲＤで割った比は４．０より大きい。
【００８８】
一実施例において、被支持領域７４２の面積は、背面支持領域７４７の面積よりも大きい。一実施例において、被支持領域７４２を背面支持領域７４７の面積で割った比は、１．２よりも大きい。さらなる実施例において、被支持領域７４２を背面支持領域７４７の面積で割った比は１．４よりも大きい。他の実施例において、被支持領域７４２を背面支持領域７４７の面積で割った比は１．６よりも大きい。他の実施例において、被支持領域７４２を背面支持領域７４７の面積で割った比は１．８よりも大きい。他の実施例において、被支持領域７４２を背面支持領域７４７の面積で割った比は２．０よりも大きい。他の実施例において、被支持領域７４２を背面支持領域７４７の面積で割った比は２．５より大きい。他の実施例において、被支持領域７４２を背面支持領域７４７の面積で割った比は３．０より大きい。他の実施例において、被支持領域７４２を背面支持領域７４７の面積で割った比は３．５よりも大きい。他の実施例において、被支持領域７４２を背面支持領域７４７の面積で割った比は４．０より大きい。他の実施例において、被支持領域７４２を背面支持領域７４７の面積で割った比は５．０より大きい。他の実施例において、被支持領域７４２を背面支持領域７４７の面積で割った比は６．０より大きい。他の実施例において、被支持領域７４２を背面支持領域７４７の面積で割った比は７．０より大きい。他の実施例において、被支持領域７４２を背面支持領域７４７の面積で割った比は８．０より大きい。他の実施例において、被支持領域７４２を背面支持領域７４７の面積で割った比は９．０より大きい。他の実施例において、被支持領域７４２を背面支持領域７４７の面積で割った比は１０．０より大きい。
【００８９】
接触エネルギー吸収係数は、約４２．７５ｍｍであるゴルフボールの直径で割った前面直径ＦＤの比率として定義される。一実施例において、接触エネルギー吸収係数は０．１より大きい。追加の実施例において、接触エネルギー吸収係数は０．２より大きい。さらなる実施例において、接触エネルギー吸収係数は０．３より大きい。追加の実施例において、接触エネルギー吸収係数は０．４より大きい。追加の実施例において、接触エネルギー吸収係数は０．５より大きい。追加の実施例において、接触エネルギー吸収係数は０．６よりも大きい。追加の実施例において、接触エネルギー吸収係数は０．７よりも大きい。追加の実施例において、接触エネルギー吸収係数は０．８より大きい。さらなる実施例において、接触エネルギー吸収係数は０．９よりも大きい。追加の実施例において、接触エネルギー吸収係数は１．０より大きい。さらなる実施例において、接触エネルギー吸収係数は０．２未満である。追加の実施例において、接触エネルギー吸収係数は０．３未満である。追加の実施例において、接触エネルギー吸収係数は０．４未満である。追加の実施例において、接触エネルギー吸収係数は０．５未満である。追加の実施例において、接触エネルギー吸収係数は０．６未満である。さらなる実施例において、接触エネルギー吸収係数は０．７未満である。追加の実施例において、接触エネルギー吸収係数は０．８未満である。追加の実施例において、接触エネルギー吸収係数は０．９未満である。追加の実施例において、接触エネルギー吸収係数は１．０未満である。
【００９０】
他の実施例において、エラストマー要素７０２は円形でなくてもよい。それらは、正方形、長方形、八角形などを含む他の形状を有して良い。
【００９１】
種々のエラストマー要素を有する同一のゴルフクラブヘッドを音響試験に供して、エラストマー要素の異なる実施形態の有効性を決定した。テストは、各クラブヘッドが、毎時約９５マイルの衝撃のクラブヘッド速度でＴｉｔｌｅｉｓｔ  ＰｒｏＶ１ゴルフボールを打つとくに実行された。図１１Ａおよび図１１Ｄに示された実施例の音響特性は、各ゴルフクラブヘッドがゴルフボールを打ったときに記録された。図１２Ａおよび１２Ｂは、図１１Ａに示される円筒形エラストマー要素の実施例を利用するゴルフクラブヘッドがゴルフボールを打撃するときの記録を反映しており、図１３Ａおよび１３Ｂは、図１１Ｄに示されたテーパーエラストマー要素の実施例を利用するゴルフクラブヘッドがゴルフボールを打撃するときの記録を反映している。図１２Ａは、図１１Ａの円筒形実施例のピリオドグラム・パワースペクトル密度推定値を示す。図１２Ｂは、図１１Ａの円筒形実施例の音響パワー推定値を示す。図１３Ａは、図１１Ｄのテーパー実施例のピリオドグラム・パワースペクトル密度推定値を示す。図１３Ｂは、図１１Ｄのテーパー実施例の音響パワー推定値を示す。
【００９２】
図１２Ａおよび図１２Ｂに示すように、図１１Ａの円筒状エラストマー要素７０２の支配的な周波数は、４，２７９．７ＨＺである。図１３Ａおよび図１３Ｂに示すように、図１１Ｄのテーパーエラストマー要素７０２の支配的な周波数は、４３１７．４Ｈｚである。一般に、アイアンタイプのゴルフクラブヘッドがゴルフボールを打つと、ゴルフクラブとゴルフボールの相互作用とゴルフボールの共鳴によって、約１，０００Ｈｚと３，８００Ｈｚの間の音響周波数において生成される音の周波数が生成されるけれども、約３，８００Ｈｚを超える音響周波数がゴルフクラブヘッドによってのみ生成される。したがって、図１２Ｂおよび図１３Ｂの音響パワー推定グラフにおける最初の音響パワーピークは、主にゴルフボールと相関し、その後の音響パワーピークは、ゴルフクラブヘッドの打撃フェースの振動と相関する。図１２Ｂおよび図１３Ｂに示すように、ゴルフボールに対応する３，８００Ｈｚ未満のピーク音響パワー推定値は約１．００×１０−３ワットである。図１２Ｂに示されるように、図１１Ａに示される円筒状エラストマー要素の実施例を利用するゴルフクラブヘッドによって生成される音響パワーは、約１．４０ｘ１０−３ワットでピークに達する。図１３Ｂに示されるように、図１１Ｄに示されるテーパーエラストマー要素の実施例を利用するゴルフクラブヘッドによって生成される音響パワーは、約１．０４ｘ１０−３ワットでピークに達する。音響パワーレベルは、ゴルフボールを打つゴルフクラブによって生成される音の大きさと直接相関する。したがって、図１１Ａに示されている円筒状エラストマー要素の実施例を利用するゴルフクラブヘッドによって生成される音が、図１１Ｄに示されるテーパーエラストマー要素の実施例を利用するゴルフクラブヘッドによって生成される音より顕著に小さい。
【００９３】
さらに、図１１Ａに示される円筒形エラストマー要素の実施例を利用するゴルフクラブヘッドによって生成される音響パワーを、ゴルフボールによって生成される音響パワーで除算したものは、約１．４０である。図１１Ｄに示される円筒形エラストマー要素の実施例を利用するゴルフクラブヘッドによって生成される音響パワーを、ゴルフボールによって生成される音響パワーで除算したものは、約１．０４である。いくつかの実施例において、ゴルフクラブヘッドによって生成される音響パワーをゴルフボールによって生成される音響パワーで除算したものは、１．５０未満であることが好ましい。いくつかの実施例において、ゴルフクラブヘッドによって生成される音響パワーをゴルフボールによって生成される音響パワーで除算したものは、１．４０未満であることが好ましい。いくつかの実施例において、ゴルフクラブヘッドによって生成される音響パワーをゴルフボールによって生成される音響パワーで除算したものは、１．３０未満であることが好ましい。いくつかの実施例において、ゴルフクラブヘッドによって生成される音響パワーをゴルフボールによって生成される音響パワーで除算したものは、１．２０未満であることが好ましい。いくつかの実施例において、ゴルフクラブヘッドによって生成される音響パワーをゴルフボールによって生成される音響パワーで除算したものは１．１０未満であることが好ましい。いくつかの実施例において、ゴルフクラブヘッドによって生成される音響パワーをゴルフボールによって生成される音響パワーで除算したものは、１．００未満であることが好ましい。
【００９４】
図１４Ａ〜Ｌは、変形可能要素とも呼ばれるエラストマー要素７０２の他の実施例を示す。これらの実施例は、可変の圧縮剛性、ばね定数、または曲げ弾性率で設計されている。これは、さまざまな形状と、種々のデュロメーターのさまざまな共成形材料の組み合わせによって実現できる。
【００９５】
図１４Ａは、前方部７０３よりも大きな後方部７４４を有するエラストマー要素７０２の断面図を示す。前方部７０３および後方部７４４は、実質的に平面である。図１４Ｂは、前方部７０３よりも大きな後方部７４４を有するエラストマー要素７０２の断面図を示す。後方部７４４は実質的に平面であり、前方部７０３は半球状である。図１４Ｃは、前方部７０３よりも大きい後方部７４４を有するエラストマー要素７０２の断面図を示す。エラストマー要素７０２は、前方一定直径領域７４６および後方一定直径領域７４５を含み、後方一定直径領域７４６は、前方一定直径領域７４５よりも大きい直径を有する。図１４Ｄは、図１４Ａのものと同様であるけれども第１の材料７７０および第２の材料７８０を含むエラストマー要素７０２の断面図を示す。一実施例において、第１の材料７７０は、第２の材料７８０よりも硬くて良い。他の実施例において、第２の材料７８０は、第１の材料７７０よりも硬くて良い。図１４Ｅは、図１４Ｅと同様であるけれども、第１の材料７７０および第２の材料７８０を含むエラストマー要素７０２の断面図を示す。図１４Ｆは、図１４Ｆと同様であるけれども第１の材料７７０および第２の材料７８０を含むエラストマー要素７０２の断面図を示す。
【００９６】
図１４Ｇは、図１４Ａと同様であるけれども前方部７０３の中心が後方部７４４の中心からずれているエラストマー要素７０２の断面図を示す。ずれは、トップライン、ソール、トウ、ヒール、またはそれらの任意の組み合わせに方向づけられて良い。図１４Ｈは、図１４Ａのものと同様であるけれども前方部７０３の中心が後方部７４４の中心からずれているエラストマー要素７０２の断面図を示す。図１４Ｉは、図１４Ａと同様であるけれども前方部７０３の中心が後方部７４４の中心からずれているエラストマー要素７０２の断面図を示す。図１４Ｊは、前方部７０３と後方部７４４との間で直径が縮んでいるエラストマー要素７０２の断面図を示している。図１４Ｋは、前方部７０３と後方部７４４との間で直径が縮んでいるエラストマー要素７０２の断面図を示している。図１４Ｌは、図１４Ａのものと同様であるけれども第１の材料７７０および第２の材料７８０を含むエラストマー要素７０２の断面図を示す。
【００９７】
ここで説明されるエラストマー要素７０２のこれらの実施例のいずれも、後方部７４４が打撃フェースの背面表面に当接し前方部７０３に当接しないように反転させることができる。好ましい実施例において、正面図から見たとき、図１４Ａ〜１４Ｌは円形である。他の実施例において、エラストマー要素は異なる形状を含んで良い。いくつかの実施例において、第１の材料の曲げ弾性率は、第２の材料の曲げ弾性率より大きくて良い。
【００９８】
図１５Ａ〜１５Ｄは、エラストマー要素７０２を有するゴルフクラブヘッド８００を示す。図１５Ａは、ゴルフクラブヘッド８００の背面図を示す。図１５Ｂは、図１５Ａのゴルフクラブヘッド８００の斜視図を示す。図１５Ｃは、図１５Ａのゴルフクラブヘッド８００の他の斜視図を示す。図１５Ｄは、図１５Ａのゴルフクラブヘッド８００のＥ−Ｅ線断面図を示す。図１６は、調整ドライバ８３０およびエラストマー要素７０２が取り付けられていない状態で、図１５のゴルフクラブヘッド８００のＥ−Ｅ線断面図を示す。図１７Ａは、図１５Ａのゴルフクラブヘッド８００の調整ドライバ８３０およびエラストマー要素７０２の斜視図を示す。図１７Ｂは、図１５Ａのゴルフクラブヘッド８００の調整ドライバ８３０およびエラストマー要素７０２の他の斜視図を示す。図。図１７Ｃは、図１５Ａのゴルフクラブヘッド８００の調整ドライバ８３０およびエラストマー要素７０２の側面図を示す。図１７Ｄは、図１７Ａの調整ドライバ８３０およびエラストマー要素７０２の断面図を示す。図１７Ｅは、図１７Ａの調整ドライバ８３０およびエラストマー要素７０２の他の斜視図を示す。
【００９９】
図１５Ｄおよび図１６に示されるように、ゴルフクラブヘッド８００は、背面表面８１９を有する打撃フェース８１８を含む。ゴルフクラブヘッド８００は、エラストマー要素７０２を支持するように構成される後方部８１２も含む。ゴルフクラブヘッド８００は空洞本体構成で製造され、後方部８１２は、ゴルフクラブヘッド８００の後方の実質的な部分を被覆する。後方部８１２は打撃フェース８１８の後ろに位置付けられ、トップライン８０７とソール８０５との間において、ヒール８０４からトウ８０６へと延びキャビティ８２０を形成する。エラストマー要素７０２は、キャビティ８２０内に配置されている。図１５Ｄに示すように、打撃フェース８１８は別に形成されゴルフクラブヘッド８００の残りの部分に溶接されて良い。より具体的には、別個に形成された打撃フェース部分は、ソールの一部を含み、Ｌ字型の打撃フェース部分を形成することができる。他の実施例において、打撃フェース８１８は、ゴルフクラブの残りの部分と一体的に形成されて良い。
【０１００】
ゴルフクラブヘッド８００は、先に説明され、図３Ａ〜３Ｃに示された調整ドライバ３３０によく似た調整ドライバ８３０を含む。ゴルフクラブヘッド８００は、打撃フェース８１８と調整ドライバ８３０との間に配置された変形可能部材７０２も含む。変形可能部材７０２は、本明細書に記載のエラストマー要素のいずれかの形態をとることができる。調整ドライバ８３０は、当該調整ドライバ８３０と打撃フェース８１８との間にエラストマー要素７０２を保持するように構成され、エラストマー要素７０２の前方部７０３は打撃フェース８１８の背面表面８１９に接触し、エラストマー要素７０２の後方部７４４は調整ドライバ８３０に接触する。調整ドライバは、エラストマー要素７０２を保持するように構成されたインターフェース８３４を含むことができる。インターフェース８３４は、図１５および図１７Ａ〜１７Ｅに示すようなエラストマー要素７０２の少なくとも一部を囲むリップ８０９を有するリセスを含むことができる。
【０１０１】
ゴルフクラブヘッド８００は、図３Ａおよび図３Ｂに示されている調整受け部３０６によく似た調整部収容部８９０を含むことができる。図１６に示すように、調整部収容部８９０は、ゴルフクラブヘッド８００の後方部８１２に形成された開口部を含むことができる。開口部は、ねじ部８９３を含むことができる。調整部収容部８９０は、図１５Ｄに示すように、調整ドライバ８３０が調整部収容部８９０に取り付けられたときに係合する収容部棚８９５を含んで良い。調整ドライバ８３０は、図１５Ｄ、および１７Ａ〜１７Ｅに示されるように、調整部収容部８９０のねじ部８９３と係合するように構成されたねじ部８３３を含むことができる。さらに、調整ドライバ８３０は、当該調整ドライバ８３０が調整部収容部８９０に取り付けられるときに調整部収容部８９０の収容部棚８９５と係合するように構成されたフランジ８３５を含んで良い。収容部棚８９５およびフランジ８３５は、エラストマー要素が打撃フェース８１８の背面表面８１９に適切かつ一貫して係合することを保証し、最適な性能に必要な支持を提供する。前述の調整ドライバ３３０は、組み立て後に調整できるように構成されているが、図１５Ａ〜１５Ｄおよび図１７Ａ〜１７Ｅに示されている調整ドライバ８３０の好ましい実施例は、組み立て中に設定位置に取り付けられ、その位置に留まるように構成されている。収容部棚８９５およびフランジ８３５は、調整ドライバ８３０が一貫して設置され、エラストマー要素が打撃フェース８１８の背面表面８１９に適切かつ一貫して係合し、最適な性能に必要な支持を提供することを保証するのに役立つ。調整ドライバ８３０は、ツールを受け入れ、調整ドライバ８３０をゴルフクラブヘッド８００に対して回転させることができるように構成されたねじ駆動部８３２も含むことができる。最後に、調整ドライバ８３０は質量を有することができる。いくつかの実施例において、ゴルフクラブヘッドの質量は、異なる質量を有する別の調整ドライバ８３０と調整ドライバ８３０を交換することにより調整することができる。質量の差は、アルミニウム、真鍮、ポリマー、鋼、チタン、タングステンなどの異なる調整ドライバに異なる材料を使用することで実現できる。図示されていない別の実施例において、質量部材を調整ドライバに追加して、質量を変更する。一実施例において、質量部材を調整ドライバのリセスに追加することができる。さらに、リセスに追加された質量部材を使用して、エラストマー要素の後方部と打撃フェースの背面表面との間の距離を変更し、エラストマー要素の圧縮を変更することもできる。
【０１０２】
ここでは特定の実施例および側面を説明し、特定の例を示したが、本考案の範囲はそれらの特定の実施例および例に限定されない。当業者は、本考案の範囲および趣旨に合致する他の実施例または改良を認識するであろう。したがって、特定の構造、動作、または媒体は例示的な実施例としてのみ開示されている。本考案の範囲は、添付の実用新案登録請求の範囲および任意の均等物によって定義される。
【符号の説明】
【０１０３】
１００    ゴルフクラブヘッド
１０２    エラストマー要素
１０３    前方部
１０４    ソールチャネル
１０５    ソール
１０８    クレードル
１０９    リセス
１１０    フランジ
１１２    後方部
１１４    前面ソール部
１１６    背面ソール部
１１８    打撃フェース
１１９    背面表面
１２０    キャビティ
２００    ゴルフクラブヘッド
２０２    エラストマー要素
２０３    前方部
２０４    ソールチャネル
２０８    クレードル
２０９    リセス
２１２    後方部
２１４    前面ソール部
２１６    背面ソール部
２１８    打撃フェース
２１９    背面表面
２２０    キャビティ
２２２    中央部分
３００    ゴルフクラブヘッド
３０２    エラストマー要素
３０３    前方部
３０４    ソールチャネル
３０６    調整部収容部
３１０    フランジ
３１２    後方部
３１４    前面ソール部
３１６    背面ソール部
３１８    打撃フェース
３１９    背面表面
３２０    キャビティ
３３０    調整ドライバ（ネジ切りされた部品）
３３２    ネジ駆動部
３３４    インターフェース
４０２    エラストマー要素
４０６    調整部収容部
４０７    背面表面
４０８Ａ    クレードル
４０８Ｂ    クレードル
４０８Ｃ    クレードル
４０９    リセス
４１２    後方部
４１４    連続ソール
４１８    打撃フェース
４１９    背面表面
４２０    キャビティ
４３０    調整ドライバ
４３２    ネジ駆動部
５００Ａ    ゴルフクラブヘッド
５００Ｂ    ゴルフクラブヘッド
５０２Ａ    フェース
５０２Ｂ    エラストマー要素
５０４Ａ    ボトムフェースエッジ
５０４Ｂ    ボトムフェースエッジ
６００    ゴルフクラブヘッド
６０２    エラストマー要素
６０３    前方部
６０５    ソール
６１２    後方部
６１８    打撃フェース
６１９    背面表面
６４０    被支持領域境界
６４２    被支持領域
６５０    打撃フェース周囲
６５２    打撃フェース領域
６５５    上側半径
６５７    下側半径
６６０    スコアライン
７００    ゴルフクラブヘッド
７０１    周辺部
７０２    エラストマー要素
７０３    前方部
７０５    ソール
７０６    トウ
７０７    トップライン
７０８    クレードル
７０９    リップ
７１０    ウエイトパッド
７１２    後方部
７１８    打撃フェース
７１９    背面表面
７４０    被支持領域周囲
７４２    被支持領域
７４３    幾何学的中心
７４４    後方部
７４５    一定直径領域
７４６    テーパー領域
７５９    打撃フェースヒール基準面
７６０    スコアライン
７６２    支持アーム
７６４    リブ
７７０    第１の材料
７８０    第２の材料
８００    ゴルフクラブヘッド
８０４    ヒール
８０５    ソール
８０６    トウ
８０７    トップライン
８０９    リップ
８１２    後方部
８１８    打撃フェース
８１９    背面表面
８２０    キャビティ
８３０    調整ドライバ
８３２    ねじ駆動部
８３３    ねじ部
８３４    インターフェース
８３５    フランジ
８９０    収容部
８９３    ねじ部
８９５    収容部棚
ＡＴ    アーム厚
ＡＷ    アーム幅
ＣＬ    アーム中心線
ＦＤ    前面直径
ＧＰ    地面平面
Ｈ    支持アーム７６２の最も高い部分と地面平面ＧＰの間の距離
ＲＤ    背面直径
ＲＷ    リブ幅
ＳＦＬ    打撃フェース長
ＳＲＯＬ    被支持領域オフセット長
α    ロフト
【図１Ａ】
0003226453.tif 000009
【図１Ｂ】
0003226453.tif 000010
【図１Ｃ】
0003226453.tif 000011
【図２Ａ】
0003226453.tif 000012
【図２Ｂ】
0003226453.tif 000013
【図３Ａ】
0003226453.tif 000014
【図３Ｂ】
0003226453.tif 000015
【図４Ａ】
0003226453.tif 000016
【図４Ｂ】
0003226453.tif 000017
【図４Ｃ】
0003226453.tif 000018
【図５Ａ】
0003226453.tif 000019
【図５Ｂ】
0003226453.tif 000020
【図６Ａ】
0003226453.tif 000021
【図６Ｂ】
0003226453.tif 000022
【図６Ｃ】
0003226453.tif 000023
【図６Ｄ】
0003226453.tif 000024
【図６Ｅ】
0003226453.tif 000025
【図７Ａ】
0003226453.tif 000026
【図７Ｂ】
0003226453.tif 000027
【図７Ｃ】
0003226453.tif 000028
【図８Ａ】
0003226453.tif 000029
【図８Ｂ】
0003226453.tif 000030
【図８Ｃ】
0003226453.tif 000031
【図９Ａ】
0003226453.tif 000032
【図９Ｂ】
0003226453.tif 000033
【図１０】
0003226453.tif 000034
【図１１Ａ】
0003226453.tif 000035
【図１１Ｂ】
0003226453.tif 000036
【図１１Ｃ】
0003226453.tif 000037
【図１１Ｄ】
0003226453.tif 000038
【図１２Ａ】
0003226453.tif 000039
【図１２Ｂ】
0003226453.tif 000040
【図１３Ａ】
0003226453.tif 000041
【図１３Ｂ】
0003226453.tif 000042
【図１４Ａ】
0003226453.tif 000043
【図１４Ｂ】
0003226453.tif 000044
【図１４Ｃ】
0003226453.tif 000045
【図１４Ｄ】
0003226453.tif 000046
【図１４Ｅ】
0003226453.tif 000047
【図１４Ｆ】
0003226453.tif 000048
【図１４Ｇ】
0003226453.tif 000049
【図１４Ｈ】
0003226453.tif 000050
【図１４Ｉ】
0003226453.tif 000051
【図１４Ｊ】
0003226453.tif 000052
【図１４Ｋ】
0003226453.tif 000053
【図１４Ｌ】
0003226453.tif 000054
【図１５Ａ】
0003226453.tif 000055
【図１５Ｂ】
0003226453.tif 000056
【図１５Ｃ】
0003226453.tif 000057
【図１５Ｄ】
0003226453.tif 000058
【図１６】
0003226453.tif 000059
【図１７Ａ】
0003226453.tif 000060
【図１７Ｂ】
0003226453.tif 000061
【図１７Ｃ】
0003226453.tif 000062
【図１７Ｄ】
0003226453.tif 000063
【図１７Ｅ】
0003226453.tif 000064
【手続補正書】
【提出日】令和2年3月18日(2020.3.18)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブヘッドにおいて、
後方部分および打撃フェースを有するクラブヘッド本体であって、上記打撃フェースはゴルフボールを打撃するように構成された前面表面と、上記前面表面と反対側の背面表面とを有し、上記後方部分は上記背面表面から離間される、上記クラブヘッド本体と、
上記後方部分と上記打撃フェースの上記背面表面との間に位置する変形可能要素であって、上記打撃フェースの上記背面表面と接触する前面表面と、上記後方部分と接触する背面表面とを有する上記変形可能要素と、
上記ゴルフクラブヘッドの重心を中心にする座標系とを有し、
上記座標系は、上記ゴルフクラブヘッドを予め定められたロフトおよびライでアドレス位置に配置したときに、地面平面に対して直角に垂直に延びるｙ−軸と、上記ｙ−軸に直角に、かつ上記打撃フェースに平行して上記ゴルフクラブヘッドのヒールの方向に延びるｘ−軸と、上記ｙ−軸および上記ｘ−軸に直角に、かつ上記打撃フェースを通じて伸びるｚ−軸とを有し、
上記打撃フェースの上記背面表面は被支持領域を有し、
上記変形可能要素の上記前面表面の周囲が上記被支持領域を形成し、上記被支持領域は幾何学的中心を有し、上記打撃フェースは複数のスコアラインを有し、上記打撃フェースは上記ｙ−軸および上記ｚ−軸に平行に延びるヒール標準平面を有し、上記ヒール標準平面は、上記スコアラインの最もヒール側の境界から上記ヒール方向に１ｍｍずれており、上記被支持領域の上記幾何学的中心は、上記ｘ−軸に平行に測定して、上記ヒール標準平面から被支持領域オフセット長だけトウ側に位置決めされ、上記打撃フェースは、上記ｘ−軸に平行に、上記ヒール標準平面から上記打撃フェースの上記前面表面の最もトウ側の部分まで測定された打撃フェース長を有し、上記ゴルフクラブヘッドは、上記被支持領域オフセット長を上記打撃フェース長で除して１００％をかけた被支持領域オフセット比を有し、上記被支持領域オフセット比は４０％以上であることを特徴とするゴルフクラブヘッド。
【請求項２】
上記被支持領域オフセット比は５０％以上である請求項１記載のゴルフクラブヘッド。
【請求項３】
上記ゴルフクラブヘッドの上記重心は、上記ｙ−軸に平行に測定されて、上記地面平面より２０ｍｍ以下の長さだけ上に位置付けられ、上記ゴルフクラブヘッドは２５０ｋｇ−ｍｍ２以上のＭＯＩ−Ｙを有する請求項１記載のゴルフクラブヘッド。
【請求項４】
上記打撃フェースの少なくとも一部は２．２ｍｍ以下の厚さを有する請求項１記載のゴルフクラブヘッド。
【請求項５】
上記変形可能要素の上記前面表面は前面直径を具備する円であり、上記変形可能要素の上記背面表面は背面直径を具備する円であり、上記前面直径は上記背面直径より小さい請求項１記載のゴルフクラブヘッド。
【請求項６】
上記ゴルフクラブヘッドは、上記後方部分および上記打撃フェースの間に内部キャビティを有し、開口が上記後方部分を通じて形成され、調整ドライバが上記開口内に位置付けられ、上記調整ドライバは上記内部キャビティに隣接するリセスを有し、上記変形可能要素の少なくとも一部が上記リセス内に位置付けられる請求項１記載のゴルフクラブヘッド。
【請求項７】
上記後方部分は、上記開口を囲む棚を有し、上記調整ドライバはフランジを有し、上記フランジが上記棚に接触する請求項６記載のゴルフクラブヘッド。
【請求項８】
ゴルフクラブヘッドにおいて、
後方部分、打撃フェース、並びに、上記後方部分および上記打撃フェースの間に形成される内部キャビティを有するクラブヘッド本体であって、上記打撃フェースはゴルフボールを打撃するように構成された前面表面および上記前面表面と反対側の背面表面を有し、上記後方部分は上記背面表面と離間される上記クラブヘッド本体と、
上記後方部分と上記打撃フェースの上記背面表面との間に位置する変形可能要素であって、上記打撃フェースの上記背面表面と接触する前面表面を有し、開口が上記後方部分に形成される、上記変形可能要素と、
上記開口内に位置付けられる調整ドライバであって、上記内部キャビティに隣接するリセスを有する上記調整ドライバとを有し、
上記変形可能要素は上記リセス内に位置付けられ、
上記後方部分は、上記開口を囲む棚を有し、
上記調整ドライバはフランジを有し、上記フランジが上記棚に接触することを特徴とするゴルフクラブヘッド。
【請求項９】
さらに上記ゴルフクラブヘッドの重心を中心にする座標系を有し、上記座標系は、上記ゴルフクラブヘッドを予め定められたロフトおよびライでアドレス位置に配置したときに、地面平面に対して直角に垂直に延びるｙ−軸と、上記ｙ−軸に直角に、かつ上記打撃フェースに平行して上記ゴルフクラブヘッドのヒールの方向に延びるｘ−軸と、上記ｙ−軸および上記ｘ−軸に直角に、かつ上記打撃フェースを通じて伸びるｚ−軸とを有し、上記打撃フェースの上記背面表面は被支持領域を有し、上記変形可能要素の上記前面表面の周囲が上記被支持領域を形成し、上記被支持領域は幾何学的中心を有し、上記打撃フェースは複数のスコアラインを有し、上記打撃フェースは上記ｙ−軸および上記ｚ−軸に平行に延びるヒール標準平面を有し、上記ヒール標準平面は、上記スコアラインの最もヒール側の境界から上記ヒール方向に１ｍｍずれており、上記被支持領域の上記幾何学的中心は、上記ｘ−軸に平行に測定して、上記ヒール標準平面から被支持領域オフセット長だけトウ側に位置決めされ、上記打撃フェースは、上記ｘ−軸に平行に、上記ヒール標準平面から上記打撃フェースの上記前面表面の最もトウ側の部分まで測定された打撃フェース長を有し、上記ゴルフクラブヘッドは、上記被支持領域オフセット長を上記打撃フェース長で除して１００％をかけた被支持領域オフセット比を有し、上記被支持領域オフセット比は４０％以上である請求項８記載のゴルフクラブヘッド。
【請求項１０】
上記被支持領域オフセット比は５０％以上である請求項９記載のゴルフクラブヘッド。
【請求項１１】
上記ゴルフクラブヘッドの重心は、地面平面に対して直角に垂直に延びるｙ−軸に平行に測定されて、上記地面平面より２０ｍｍ以下の長さだけ上に位置付けられ、上記ゴルフクラブヘッドは２５０ｋｇ−ｍｍ２以上のＭＯＩ−Ｙを有する請求項８記載のゴルフクラブヘッド。
【請求項１２】
上記打撃フェースの少なくとも一部は２．２ｍｍ以下の厚さを有する請求項８記載のゴルフクラブヘッド。
【請求項１３】
上記変形可能要素の上記前面表面は前面直径を具備する円であり、上記変形可能要素の上記背面表面は背面直径を具備する円であり、上記前面直径は上記背面直径より小さい請求項８記載のゴルフクラブヘッド。
【請求項１４】
ゴルフクラブヘッドにおいて、
後方部分、打撃フェース、並びに、上記後方部分および上記打撃フェースの間に形成される内部キャビティを有するクラブヘッド本体であって、上記打撃フェースはゴルフボールを打撃するように構成された前面表面および上記前面表面と反対側の背面表面を有し、上記後方部分は上記背面表面と離間される上記クラブヘッド本体と、
上記後方部分と上記打撃フェースの上記背面表面との間に位置する変形可能要素であって、上記打撃フェースの上記背面表面と接触する前面表面を有し、開口が上記後方部分に形成される、上記変形可能要素と、
上記開口内に位置付けられる調整ドライバとを有し、
上記変形可能要素は上記調整ドライバと接触する背面表面を有し、
上記開口は、ネジ切り部分を有し、上記調整ドライバは、ネジ切り部分を有し、上記調整ドライバの上記ネジ切り部分は上記開口の上記ネジ切り部分と係合し、
上記変形可能要素の上記前面表面は前面直径を具備する円であり、上記変形可能要素の上記背面表面は背面直径を具備する円であり、上記前面直径は上記背面直径より小さく、
上記変形可能要素は上記前面表面および上記背面表面の間にテーパー付け部分を有することを特徴とするゴルフクラブヘッド。
【請求項１５】
上記打撃フェースの少なくとも一部は２．２ｍｍ以下の厚さを有する請求項１記載のゴルフクラブヘッド。
【請求項１６】
上記変形可能要素は、さらに、上記ゴルフクラブヘッドの上記後方部分に隣接して位置付けられる一定直径部分を有する請求項１４記載のゴルフクラブヘッド。
【請求項１７】
上記変形可能要素は弾性係数が１から５０ＧＰａを生じるエラストマーを有する請求項１４記載のゴルフクラブヘッド。
【請求項１８】
上記後方部分は、上記開口を囲む棚を有し、上記調整ドライバはフランジを有し、上記フランジが上記棚に接触する請求項１４記載のゴルフクラブヘッド。
【請求項１９】
上記調整ドライバは上記内部キャビティに隣接するリセスを有し、上記変形可能要素の少なくとも一部が上記リセス内に位置付けられる請求項１４記載のゴルフクラブヘッド。
【請求項２０】
上記打撃フェースは打撃フェース面積を有し、上記打撃フェースは、上記変形可能要素によって支持されない当該打撃フェース面積のパーセンテージを有する非支持フェースパーセンテージを有し、上記非支持フェースパーセンテージは９０％より大きく９９％より小さく、上記変形可能要素は打撃フェース周囲から離間されている請求項１４記載のゴルフクラブヘッド。